(57)【要約】  壁パネルおよび建物のための壁システムを建設する方法が説明される。いくつかの実施形態では、予め組み立てられた壁パネルは、パネルフレームであって、そのパネルフレームの外周側を画定する外周部材を含むパネルフレームと、壁パネルの第１および第２の主側を画定するためにパネルフレームの両側に取り付けられた第１および第２の壁ボードであって、第１および第２の壁ボードの各々は、不燃性材料を含む、第１および第２の壁ボードと、パネルフレームの外周側を取り囲み、かつ外周側の全長に沿って延在する防水組立体とを含み、前記防水組立体は、第１および第２の壁ボードのそれぞれの外面に対して配置された第１および第２の対向フランジを含む非金属長尺状部材を含み、第１および第２の対向フランジは、外周部材に取り付けられる。
2019511652.tif 000002
【特許請求の範囲】
【請求項１】
予め組み立てられた壁パネルであって、
パネルフレームであって、前記パネルフレームの外周側を画定する外周部材を含むパネルフレームと、
前記壁パネルの第１および第２の主側を画定するために前記パネルフレームの両側に取り付けられた第１および第２の壁ボードであって、前記第１および第２の壁ボードの各々は、不燃性材料を含む、第１および第２の壁ボードと、
前記パネルフレームの前記外周側を取り囲み、かつ前記外周側の全長に沿って延在する防水組立体であって、前記第１および第２の壁ボードのそれぞれの外面に対して配置された第１および第２の対向フランジを含む非金属長尺状部材を含み、前記第１および第２の対向フランジは、前記外周部材に取り付けられる、防水組立体と
を含む、予め組み立てられた壁パネル。
【請求項２】
前記防水組立体は、繊維強化プラスチック（ＦＲＰ）で形成された長尺状部材を含む、請求項１に記載の建物。
【請求項３】
前記防水組立体は、前記パネルフレームの第１の外周側に沿って延在する第１の防水組立体であり、前記壁パネルは、前記パネルフレームの第２の反対側の外周側に近接する第２の防水組立体をさらに含む、請求項１に記載の壁パネル。
【請求項４】
前記第１の防水組立体は、前記第１および第２の壁ボードの前記外面間の距離に実質的に対応する全幅を有し、前記第２の防水組立体は、前記第１および第２の壁ボードの前記外面間の距離より大きい全幅を有する、請求項３に記載の壁パネル。
【請求項５】
前記第１の防水組立体は、第１の長尺状部材と、前記第１の長尺状部材によって画定された空洞内に移動可能に受け入れられた第２の長尺状部材とを含み、前記第２の長尺状部材は、シーリング部材に取り外し可能に係合するように構成される、請求項３に記載の壁パネル。
【請求項６】
前記第１の長尺状部材および前記第２の長尺状部材の少なくとも一方は、ＦＲＰ引抜成形であり、シーリング部材は、弾性材料で形成される、請求項３に記載の壁パネル。
【請求項７】
前記第１および前記第２の防水組立体の各々は、第１の長尺状部材と、前記第１の長尺状部材によって画定された空洞内に移動可能に受け入れられた第２の長尺状部材とを含み、前記予め組み立てられた壁パネルは、前記第１または前記第２の防水組立体の一方の前記第２の長尺状部材に結合されたシーリング部材をさらに含む、請求項３に記載の壁パネル。
【請求項８】
前記第１の防水組立体の前記空洞の開口は、前記第２の防水組立体の前記空洞の開口に直交する、請求項７に記載の壁パネル。
【請求項９】
前記防水組立体は、長尺状部材を含み、前記長尺状部材は、前記パネルフレームの外周部材に対向しかつ当該外周部材から離間された第１の壁と、第２および第３の壁であって、前記第１の壁に隣接し、かつそれらの間に空洞を画定する第２および第３の壁とを有し、前記防水組立体は、前記壁の少なくとも２つに沿って絶縁材料をさらに含む、請求項１に記載の壁パネル。
【請求項１０】
前記第１の防水組立体に直交するように延在する別の防水組立体をさらに含む、請求項１に記載の壁パネル。
【請求項１１】
前記壁パネルは、１つのみの外周側に沿って防水組立体を含む、請求項１に記載の壁パネル。
【請求項１２】
前記防水組立体は、前記壁パネルに取り付けられたダクトに接続された孔を含む、請求項１に記載の壁パネル。
【請求項１３】
前記防水組立体は、長尺状部材を含み、前記長尺状部材は、前記長尺状部材の内部を少なくとも第１の空洞および第２の空洞に分離する壁を含み、前記空洞の各々は、前記壁パネルのそれぞれの側に提供されたそれぞれのダクトに接続される、請求項１に記載の壁パネル。
【請求項１４】
前記防水組立体は、前記壁パネルの両側に位置付けられ、かつ互いに当接する２つの長尺状部材で形成され、２つの長尺状部材の各々は、前記壁パネルに取り付けられたダクトに流体接続される、請求項１に記載の壁パネル。
【請求項１５】
多層建物であって、
構造フレームであって、前記建物の下階と関連する第１の水平ビームと、前記建物の上階と関連する第２の水平ビームとを含む構造フレームと、
前記第１および第２の水平ビーム間において前記構造フレームに取り付けられた予め組み立てられた壁パネルであって、パネルフレームと前記パネルフレームの両側に取り付けられた壁ボードとを含み、前記パネルフレームの垂直外周側に沿って延在する非金属防水組立体をさらに含み、前記防水組立体は、前記垂直外周側と前記壁ボードの各々の垂直縁とを取り囲む、予め組み立てられた壁パネルと
を含む多層建物。
【請求項１６】
前記予め組み立てられた壁パネルは、前記建物の前記下階の全高および下階ユニットの全長にわたる、請求項１５に記載の建物。
【請求項１７】
前記防水組立体は、繊維強化プラスチック（ＦＲＰ）で形成された長尺状部材を含む、請求項１５に記載の建物。
【請求項１８】
前記長尺状部材は、ＦＲＰ引抜成形である、請求項１７に記載の建物。
【請求項１９】
前記防水組立体は、前記長尺状部材の内部空洞壁に沿って断熱材料をさらに含む、請求項１７に記載の建物。
【請求項２０】
前記防水組立体は、弾性材料で形成されたガスケットに係合するように構成される、請求項１５に記載の建物。
【請求項２１】
前記防水組立体は、空洞を画定する第１のＦＲＰコンポーネントと、前記空洞内に少なくとも部分的に受け入れられた第２のＦＲＰコンポーネントとを含み、前記第２のＦＲＰコンポーネントは、前記ガスケットと相互係止するように構成される、請求項２０に記載の建物。
【請求項２２】
前記防水組立体は、第１の防水組立体であり、前記壁パネルは、前記壁パネルの隣接する側または反対の側に沿って少なくとも１つの追加的な防水組立体を含む、請求項１５に記載の建物。
【請求項２３】
前記第２の水平ビームの上に配置され、かつ前記建物の前記上階の全高および上階ユニットの全長にわたる第２の予め組み立てられた壁パネルをさらに含み、前記第２の予め組み立てられた壁パネルは、前記壁パネルの長さまたは高さにわたる少なくとも１つの非金属防水組立体を含む、請求項１５に記載の建物。
【請求項２４】
前記建物の前記下階の高さの少なくとも一部および前記上階の高さの少なくとも一部にわたる別の予め組み立てられた壁パネルをさらに含む、請求項１５に記載の建物。
【請求項２５】
前記第１および第２の水平ビームの少なくとも一方の端部を少なくとも部分的に覆う非金属防水組立体をさらに含み、前記防水組立体は、前記ビームと、前記ビームに取り付けられた柱との間に配置される、請求項１５に記載の建物。
【請求項２６】
前記防水組立体は、前記ビームから分離可能であり、かつ内側防水組立体に断熱材料を含む、請求項１５に記載の建物。
【請求項２７】
建物のための壁システムを建設する方法であって、
第１の予め組み立てられた壁パネルを建物の構造フレームに取り付けることであって、前記構造フレームは、第１のビームと、前記第１のビームに対向しかつ前記第１のビームから離間された第２のビームとを含み、前記第１の予め組み立てられた壁パネルは、少なくとも部分的に前記第１のビームの上に配置される、取り付けることと、
第２の予め組み立てられた壁パネルを、前記第１の予め組み立てられた壁パネルに対向させてかつ前記第１の予め組み立てられた壁パネルから離間させて前記構造フレームに取り付けることであって、前記第２の予め組み立てられた壁パネルは、少なくとも部分的に前記第２のビームの上に配置される、取り付けることと
を含み、
前記第１および第２の予め組み立てられた壁パネルの各々は、前記第１または第２の予め組み立てられた壁パネルのそれぞれの１つの外周側に沿って少なくとも１つの非金属防水組立体を含む、方法。
【請求項２８】
前記第１および第２の予め組み立てられた壁パネルの各々は、前記建物のユニットの全長に延在する、請求項２７に記載の方法。
【請求項２９】
前記第１の予め組み立てられた壁パネルは、第１の垂直側に沿って延在する第１の防水組立体と、前記第１の垂直側に対向する第２の垂直側に沿って延在する第２の防水組立体と、前記第１および第２の垂直側間において水平側に沿って延在する第３の防水組立体とを含む、請求項２７に記載の方法。
【請求項３０】
前記第１および第２の予め組み立てられた壁パネルの各々は、それぞれの垂直外周側に沿って延在する防水組立体を含み、前記方法は、前記第１および第２の予め組み立てられた壁パネル間に窓壁を形成することと、前記第１および第２の予め組み立てられた壁パネルの各々の前記防水組立体と前記窓壁のそれぞれの側との間に非構造的シールを提供することとをさらに含む、請求項２７に記載の方法。
【請求項３１】
前記第１の予め組み立てられた壁パネルは、建物の外壁を画定し、前記第２の予め組み立てられた壁パネルは、前記建物の内壁を画定し、前記方法は、別の予め組み立てられた壁パネルを、前記第１の予め組み立てられた壁パネルに対向する側において前記第２の予め組み立てられた壁パネルから離間させて前記構造フレームに接合することをさらに含み、前記別の予め組み立てられた壁パネルは、前記建物の別の外壁を画定する、請求項２７に記載の方法。
【請求項３２】
建物の下階を形成することと、前記建物の上階を形成するために追加的な構造部材を前記構造フレームに接合することと、追加的な予め組み立てられた壁パネルを前記構造フレームおよび前記第１の予め組み立てられた壁パネルに取り付けることとをさらに含み、前記追加的な予め組み立てられた壁パネルは、前記建物の前記下階の少なくとも一部および前記上階の少なくとも一部にわたる、請求項２７に記載の方法。
【請求項３３】
前記追加的な予め組み立てられた壁パネルを取り付けることは、前記追加的な予め組み立てられた壁パネルを前記第１の予め組み立てられた壁パネルに直交するように位置付けることと、ガスケットの相互係止特徴を、前記第１のおよび前記追加的な予め組み立てられた壁パネルのそれぞれの防水組立体のそれぞれの相互係止特徴に係合させるために、前記追加的な予め組み立てられた壁パネルを前記第１の予め組み立てられた壁パネルに向かって押すこととを含む、請求項３２に記載の方法。
【請求項３４】
前記追加的な予め組み立てられた壁パネルは、第１のユーティリティ壁パネルであり、前記方法は、第２のユーティリティ壁パネルを前記第１のユーティリティ壁パネルに接合することをさらに含み、前記第１および第２のユーティリティ壁パネルの各々は、前記第１および第２のユーティリティ壁パネルのそれぞれの１つの第１の垂直外周側に沿った第１の防水組立体と、第２の反対側の垂直外周側に沿った第２の防水組立体とを含み、前記第１および第２の防水組立体の各々は、前記第１および第２のユーティリティ壁パネル間に位置付けられたガスケットと相互係止するように構成されたインサートを含む、請求項３３に記載の方法。
【請求項３５】
前記第１のユーティリティ壁パネルは、前記ユーティリティ壁パネルを前記第１の予め組み立てられた壁パネルに接合する前に、前記第２のユーティリティ壁パネルに接合される、請求項３４に記載の方法。
【発明の詳細な説明】
【技術分野】
【０００１】
関連出願の相互参照
本願は、２０１６年３月７日に出願された米国仮特許出願第６２／３０４，８５８号に対する優先権を主張し、その出願は、あらゆる目的のためにその全体が参照により組み込まれる。
【背景技術】
【０００２】
背景
従来の建設は、建築現場のフィールドで行われる。様々な職種の人々（例えば、大工、電気技師および配管工）は、あたかも各ユニットが固有のものであるかのように材料を計測、切断および設置する。さらに、職人によって実施される作業は、リニアな順序で設定される。結果的に、工程に時間がかかり、廃棄、設置の不完性、及び費用超過のリスクが増すことになる。建物建設における効率の向上のための１つのアプローチは、モジュール工法であり得る。複数の住居ユニットを備える場合（例えば、アパート、ホテル、学生寮など）、住居ユニット（モジュールと呼ばれる）全体は、工場において現場から離れて組み立てられ、次いで現場へトラックで運ぶことができる。モジュールは、次いで積み重ねられ、互いに接続され、一般に、低層建築（例えば、１〜６階）ができあがる。他のモジュール工法の技術は、現場での全体的な建設の労力を減らすために、現場から離れての（例えば、工場での）個々のユニットの大きいコンポーネントの建築、および現場での大きいコンポーネントの組立を伴うことができ、それにより建物を建てる時間全体を減らす。しかしながら、既知のモジュール工法に伴う欠点が存在することがあり、その改良が望ましい場合がある。
【発明の概要】
【課題を解決するための手段】
【０００３】
概要
建物建設に関連する、より具体的には建物エンベロープのシーリングに関するシステムおよび方法を含む技術が概して説明される。
【０００４】
例示的システムは、予め組み立てられた壁パネルを含み得る。壁パネルは、パネルフレームであって、そのパネルフレームの外周側を画定する外周部材を含むパネルフレームと、壁パネルの第１および第２の主側を画定するためにパネルフレームの両側に取り付けられた第１および第２の壁ボードであって、第１および第２の壁ボードの各々は、不燃性材料を含む、第１および第２の壁ボードと、パネルフレームの外周側を取り囲み、かつ外周側の全長に沿って延在する防水組立体とを含み得る。防水組立体は、第１および第２の壁ボードのそれぞれの外面に対して配置された第１および第２の対向フランジを含む非金属長尺状部材を含み、第１および第２の対向フランジは、外周部材に取り付けられる。
【０００５】
例示的な多層建物は、構造フレームであって、建物の下階と関連する第１の水平ビームと、建物の上階と関連する第２の水平ビームとを含む構造フレームと、第１および第２の水平ビーム間において構造フレームに取り付けられた予め組み立てられた壁パネルとを踏み得る。壁パネルは、パネルフレームと、パネルフレームの両側に取り付けられた壁ボードとを含み、パネルフレームの垂直外周側に沿って延在する非金属防水組立体をさらに含み、防水組立体は、当該垂直外周側と壁ボードの各々の垂直縁とを取り囲む。
【０００６】
例示的方法は、第１の予め組み立てられた壁パネルを建物の構造フレームに取り付けることを含み得、構造フレームは、第１のビームと、第１のビームに対向しかつ第１のビームから離間された第２のビームとを含み、第１の予め組み立てられた壁パネルは、少なくとも部分的に第１のビームの上に配置される。例示的方法は、第２の予め組み立てられた壁パネルを、第１の予め組み立てられた壁パネルに対向しかつ第１の予め組み立てられた壁パネルから離間された構造フレームに取り付けることをさらに含み得、第２の予め組み立てられた壁パネルは、少なくとも部分的に第２のビームの上に配置され、第１および第２の予め組み立てられた壁パネルの各々は、第１または第２の予め組み立てられた壁パネルのそれぞれの１つの外周側に沿って少なくとも１つの非金属防水組立体を含む。例示的方法は、建物のための壁システムを建設するために使用され得る。
【０００７】
前述の概要は、例示のためのみのものであり、決して限定することを意図されない。上述の例示的な態様、実施形態および特徴に加えて、さらなる態様、実施形態および特徴が図面および以下の詳細な説明を参照することによって明らかとなる。
【０００８】
図面の簡単な説明
本開示の前述のおよび他の特徴は、添付図面と併せて、以下の説明および添付の請求項からより完全に明らかになる。これらの図面が本開示によるいくつかの実施形態のみを示し、したがって、その範囲の限定と見なされないことを理解したうえで、本開示は、添付図面の使用を通じて追加的な具体性および詳細を伴って説明される。
【図面の簡単な説明】
【０００９】
【図１】本開示のいくつかの例による例示的な多層建物を示す。
【図２】多層建物、例えば図１の建物の例示的間取図を示す。
【図３】本開示のいくつかの例による予め組み立てられた壁パネルの等角図を示す。
【図４】図３の予め組み立てられた壁パネルの部分等角分解図を示す。
【図５Ａ】本開示のいくつかの例による防水組立体の断面を示す。
【図５Ｂ】本開示のさらなる例による防水組立体の断面を示す。
【図６】本開示のいくつかの例による、隣接する壁パネル間のインターフェイスでの隣接する防水組立体の断面を示す。
【図７】本開示のいくつかの例による隣接する防水組立体の部分図を示す。
【図８】本開示のさらなる例による隣接する壁パネル間のインターフェイスでの隣接する防水組立体の断面を示す。
【図９】本開示のさらなる例による防水組立体の断面を示す。
【図１０】床−天井パネルならびに上および下エンベロープ壁の部分立面断面を示す。
【図１１】本開示による例示的方法のフロー図である。
【図１２】本開示のいくつかの例による例示的絶縁部材の等角図である。
【図１３】建物１０２などの建物の構造部材に取り付けられた図１２の例示的絶縁部材の断面図である。
【発明を実施するための形態】
【００１０】
詳細な説明
以下の詳細な説明では、その一部を形成する添付図面が参照される。図面では、同様の符号は、文脈がそうではないことを指示しない限り、典型的には同様のコンポーネントを示す。詳細な説明、図面および請求項で説明された例示的な実施形態は、限定することを意味するものではない。本明細書で提示された主題の趣旨および範囲から逸脱することなく、他の実施形態も用いられ得、および他の変形形態もなされ得る。本開示の態様は、本明細書で概略的に説明され、図面に示されたとおり幅広い種類の異なる構成で配置され、置換され、組み合わせられ、分離され、かつ設計されることができ、その全てが本明細書で暗示的に想定されることが容易に理解される。
【００１１】
本開示は、とりわけ、建物エンベロープの防水および／または断熱に一般に関する方法、システム、製品、デバイスおよび／または装置に向けられる。説明されるのは、プレハブ壁パネルとともに含められ得るか、または建物における別の場所に取り付けられ得る防水組立体またはコンポーネントである。例えば、本開示による壁パネルは、モジュール式建物建設における使用のための予め組み立てられたパネルであり得る。いくつかの例では、壁パネルは、店において現場から離れて組み立てられて、次いで建築現場へ輸送され得る。建築現場では、壁パネルは、建物フレームに直接的または間接的に取り付けられ得る。壁パネルは、建物の壁の一部または全体、例えば建物内のユニットの壁の一部または全体を画定し得る。いくつかの例では、壁パネルは、建物の１つの階におけるユニットの壁または壁の一部を画定し得、また、別のユニットの壁または壁の一部、例えば建物の同じまたは別の階における垂直または水平に隣接するユニット）を画定し得る。本開示による壁パネルには、１つまたは複数の防水組立体が設けられ得る。防水組立体は、それらが隣接するパネル間のインターフェイスに位置付けられるように配置され得、かつ隣接するパネル間への湿気の浸入に抵抗するように機能し得る。
【００１２】
壁パネルは、パネルフレームと、フレームの両側に取り付けられた第１および第２の壁ボードとを含み得る。壁ボードは、壁パネルの主側を画定し得る。建物に設置されると、２つの壁ボードは、フレームによって互いから水平に離間され得る。パネルフレームは、対向端部材へ接合された複数のスタッドを含み得る。外側スタッドおよび端部材は、それらがパネルフレームの外周を画定し得るという点で集合的に外周部材と呼ばれ得る。外周部材は、壁パネルの外周側を画定し得る。外周部材および壁ボードは、それらの間に実質的に囲まれた空間を画定することができ、空間は、複数のスタッドによって壁空洞に分割される。壁ボードは、スタッドおよび端部材に接続され得る（例えば、機械的に締結され得る）。いくつかの例では、１つまたは複数の壁空洞は、建物における住居または商業ユニットをサポートし得る配管、ケーブル敷設、配線または他の導管もしくは他の要素を収容し得る。絶縁材料は、壁空洞における１つまたは複数に位置し得る。いくつかの例では、クロス部材が１つまたは複数の壁空洞内に提供され得るか、または例えばパネルの側方安定性を増加させるために、１つまたは複数の壁空洞に対して作動的に配置され得る。いくつかの例では、クロス部材は、壁空洞の向かい合ったコーナ間に接続されたストラップ、例えば金属ストラップの形態で実装され得る。吸音材料（遮音材料とも呼ばれる）は、フレーム、壁ボードまたは壁パネルの任意の他の層間に位置付けられ得る。
【００１３】
いくつかの例では、壁パネルは、壁パネルの１つまたは複数の外周側に沿って延在し得る１つまたは複数の防水組立体を含み得る。防水組立体は、建物のエンベロープのシーリングと関連する機能性を提供し得る。いくつかの例では、防水組立体は、内部（例えば、空気調節された）空間を建物の外部から防水するのに役立ち得る。いくつかの例では、防水組立体は、内部（例えば、空気調節された）空間を外部（例えば、空気調節されていない空間）から断熱するのにも役立ち得、かつそれを断熱する。いくつかの例では、防水組立体は、水を通さない材料、例えば金属、プラスチック、繊維強化プラスチックまたは他の複合材料で形成され得る。いくつかの例では、例えば防水組立体が断熱材としても機能する場合、防水組立体は、非熱伝導性材料、例えばプラスチック、繊維強化プラスチックまたは他の複合材料から形成され得る。
【００１４】
いくつかの実施形態では、パネルフレームの材料組成は、大部分が金属であり得る。いくつかの実施形態では、これは、大部分がアルミニウムであり得る。いくつかの実施形態では、パネルフレームの１つまたは複数のコンポーネントは、繊維強化プラスチックまたは他の複合材料（例えば、炭素繊維強化またはアラミド強化複合材料）でできていてもよい。壁ボードは、様々な不燃性材料でできていてもよい。当業者によって理解されるとおり、不燃性材料は、火または熱にさらされたときに、容易に発火しない、燃焼しない、燃焼を促進しない、または可燃性蒸気を放出しないであろう材料であり得る。不燃性材料の例は、内部および外部被覆製品で典型的に使用され得る無機鉱物材料、例えばセメント、石こうおよび酸化マグネシウムを含む。他の例は、例えば、コアを強化するため、または無機鉱物製品で形成されたコアの側部を裏張りするために無機鉱物製品との組合せで使用され得るガラス、ガラス繊維またはガラス／繊維ガラスクラッディングを含み得る。なお他の実施形態では、壁パネルまたはそのコンポーネントは、金属から、木材および木材ポリマー複合材料（ＷＰＣ）、木材ベースの製品（リグニン）、他の有機建築材料（竹）、有機ポリマー（プラスチック）、ハイブリッド材料または土の材料、例えばセラミックスまでにわたる、様々な建物に好適な材料でできていてもよい。いくつかの実施形態では、セメントまたは他の流し込むことができるかもしくは成形可能な建築材料も使用され得る。他の実施形態では、好適な建築材料の任意の組合せは、パネルのいくつかの要素のためのある建築材料と、パネルの他の要素のための他の建築材料とを使用することによって組み合わされ得る。いずれの材料の選択も、材料選択肢（例えば、国際建築基準法において提供されたものなど）の参照からなされ得るか、または建築される構造のための耐荷重性要件を決定するときに、当業者の知識に基づいて選択され得る。より大きいおよび／またはより背の高い構造は、より小さいおよび／またはより背の低い建物よりも大きい物理的強度要件を有し得る。構造のサイズ、負荷および環境ストレスを収容するための建築材料における調整が、本明細書で説明されたシステムにおける全てのコンポーネントのために使用される建築材料の最適な経済的選択を決定し得る。世界中の異なる地域における様々な建築材料の入手可能性も、本明細書で説明されたパネルを建築するための材料の選択に影響を及ぼし得る。国際建築基準法または同様の条例の順守も材料の選択に影響を及ぼし得る。
【００１５】
本明細書における「金属」への言及は、いずれも本明細書で説明されたシステムおよびコンポーネントの製造および／または構造に好適であり得る任意の建設等級の金属または金属合金を含む。「木材」への言及は、いずれも木材、木材積層製品、木材プレス製品、木材ポリマー複合材料（ＷＰＣ）、竹または竹関連製品、リグニン製品、および化学的に処理、精製、加工されたものであれ、植物から単純に収穫されたものであれ任意の植物由来製品を含む。本明細書における「コンクリート」への言及は、いずれもセメント、水および粒状集合体を含む任意の建築等級の硬化可能複合材料を含む。粒状集合体は、砂、砂利、ポリマー、灰および／または他の鉱物を含み得る。
【００１６】
ここで、図面を参照すると、同じ種類のまたは略代替可能な種類の繰り返しユニットが部品番号および文字（例えば、２１４ｎ）によって指定されており、文字「ａ」、「ｂ」などは、繰り返される物品の個別の番号である。文字「ｎ」が後に付く部品番号への概略的な言及は、意図された物品の番号に対して、予め決定されたまたは確立された限定がないことを示す。部品は、「ａ−ｎ」として挙げられ、「ａ」で始まり、任意の望ましい番号「ｎ」で終わる。
【００１７】
図１は、本明細書で説明された少なくともいくつかの実施形態によって配置された例示的多層建物１０２を示す。図１は、建物１０２、階１０３、構造フレーム１０４、柱１０６、ビーム１０８、交差ブレース１１０、ユニット１１２、床天井パネル１１４および壁１１６を示す。図１に示される様々なコンポーネントは、例示的なものに過ぎず、コンポーネントを除去すること、コンポーネントを組み合せること、およびコンポーネントを置換することを含む他の変更形態も全て想定される。
【００１８】
建物１０２は、２つ以上の階またはレベル１０３を含み得る。建物１０２は、階の数に依存して低層、中層または高層建設として区分され得る（各都市または都市計画当局が、それが適切と考える任意の方式で建物の高さを定義し得る）。建物１０２は、建物１０２の１つまたは複数のユニット１１２の壁を画定し得る１つまたは複数の壁パネル１１６を含み得る。いくつかの例では、壁パネル１１６の１つまたは複数は、非耐荷重性であり得、建物の構造フレーム１０４の１つまたは複数の要素に近接して配置され得る。本明細書で説明された壁パネルは、中層建物および高層建物を含む任意の階（レベル）数の建物で使用するのに好適であり得る。いくつかの実施形態では、建物は、８つ以上の階を有する居住のための集合住宅建物であり得る。いくつかの実施形態では、建物は、１５以上またはいくつかの例では３０以上の階を有し得る。
【００１９】
建物１０２は、構造フレーム１０４を含み得る。構造フレーム１０４は、建物１０２の構造的骨組みとして機能し得る。構造フレーム１０４は、複数の柱１０６と、ビーム１０８と、交差ブレース１１０とを含み得る。柱１０６は、垂直に方向付けられ得、ビーム１０８は、水平に方向付けられ得、交差ブレース１１０は、柱１０６およびビーム１０８に対して斜めに方向付けられ得る。ビーム１０８は、隣接する柱１０６を互いに接続するために、隣接する柱１０６間に延在し得、かつ隣接する柱１０６に取り付けられ得る。交差ブレース１１０は、構造フレーム１０４に追加的な剛性を提供するために、隣接するビーム１０８および柱１０６間に延在し得、かつ隣接するビーム１０８および柱１０６に取り付けられ得る。本明細書で説明された様々な実施形態では、構造フレーム１０４は、建物１０２のための構造支持体を提供し得る。本明細書で説明されたいくつかの実施形態では、ユニットまたはモジュールを形成する内部（界）壁は、耐荷重性の壁でなくてもよい。いくつかの実施形態では、耐荷重性支持体が構造フレーム１０４によって提供され得る。柱、ビームおよび交差ブレースは、建物１０２のためのほとんどのまたは実質的に全ての構造支持体を提供するために配置され得る。フレームは、同様に、装飾または追加された支持体を構造に提供するために使用され得る。
【００２０】
建物１０２は、構造フレーム１０４に対して作動的に配置された複数のユニットまたはモジュール１１２を含み得る。ユニット１１２は、商業用、居住用（例えば、住戸）または両方であり得る。ユニット１１２は、複数の予め組み立てられたまたはプレハブ式コンポーネントを使用して建築現場で組み立てられ得る。プレハブ式コンポーネントは、建築現場から離れて互いに無関係に組み立てられて、設置のために建築現場に輸送され得る。コンポーネントは、個々のユニット１１２を形成するために、建築現場で構造フレーム１０４、隣接するコンポーネントまたは両方に取り付けられ得る。いくつかの実施形態では、建物１０２は、内部支持構造を含み得る。プレハブ式コンポーネントは、いくつかの実施形態では内部支持構造に取り付けられ得る。いくつかの例では、本明細書で説明されたとおりのプレハブ式コンポーネントの使用は、建物１０２などの建物を建設するための現場での時間を著しく減少させることができる。建物１０２の各階またはレベル１０３は、プレハブ式コンポーネントによって画定された１つまたは複数のユニット１１２を含み得る。ユニットは、標準化されかつ反復的であり得、または固有でありかつ個別化され得る。標準的なサイズおよび形状の混合ユニットが同じ床における固有のユニットと組み合わされ得、または個別の床において独立した配置構成であり得る。いくつかの実施形態では、ユニットは、２つ以上の床を包含し得る。
【００２１】
コンポーネントは、１つまたは複数の予め組み立てられた床−天井パネル１１４と、１つまたは複数の予め組み立てられた壁パネル１１６とを含み得る。床−天井パネル１１４は、水平に方向付けられ得、上ユニットの床と下ユニットの天井とを画定し得る。個々の床−天井パネル１１４は、水平な方向に互いに隣接して配置され得、かつ互いに１つまたは複数の柱１０６、１つもしくは複数のビーム１０８または任意のその組合せに取り付けられ得る。いくつかの例では、床−天井パネルは、パネルの外周部の周りでのみ、柱１０６、ビーム１０８またはこれらの組合せに取り付けられ得る。壁パネル１１６は、垂直に方向付けられ得、かつ建物の内部（例えば、界）壁および外部（例えば、エンベロープ）壁を提供し得る。内部（例えば、界）壁は、各階を複数のユニットに、単一のユニットを複数の部屋に、またはこれらの組合せにおいて仕切ることができる。壁パネル１１６は、床−天井パネル１１４に締結具で取り付けられ得、次いでコーキング、密封または両方がなされ得る。いくつかの例では、壁パネル１１６は、構造フレーム１０４の水平構造部材（例えば、ビーム１０８）および／または垂直構造部材（例えば、柱１０６）に近接して配置される。いくつかの例では、壁パネル１１６は、実質的に整列し得、または水平および／もしくは垂直構造部材とオフセットされるが略平行であり得る。パネルおよび／またはそのコンポーネントは、機械的締結、例えばリベット、ねじが切られた締結具（例えば、ねじ、ボルト、ナットとボルトとの組合せなど）または他のタイプの機械締結具によるなど、様々な技術を使用して他の構造またはコンポーネントに取り付けられ得る。いくつかの例では、コンポーネントは、他のコンポーネントに接合（例えば、接着または糊付け）され得る。コンポーネントを接合するための様々な技術が本開示の範囲から逸脱することなく使用され得る。
【００２２】
図２は、建物１０２などの多層建物の例示的間取図を示す。図２は、本明細書のいくつかの例による、ユニット１１２、床−天井パネル１１４、界壁パネル１１１、端壁パネル１１３、窓壁１１５およびユーティリティ壁パネル１１７を含む壁パネル１１６を示す。図２は、建物の構造フレームの柱１０６およびビーム１０８も示す。図２に示される様々なコンポーネントは、例示的なものに過ぎず、コンポーネントを除去すること、コンポーネントを組み合せること、およびコンポーネントを置換することを含む他の変更形態は全て想定される。
【００２３】
壁パネル１１６は、建物の内部を仕切る壁、配管コンポーネントを含む壁、窓コンポーネントを含む壁などを画定し得る。ユニットおよびまたはユニット内の部屋間の仕切りを画定する壁は、（例えば、界壁パネル１１１によって画定された）界壁と呼ばれ得る。典型的には、界壁パネルは、内壁を画定し、実質的に囲まれ得、かつしたがって要素に実質的に露出されなくてもよい。外壁パネルは、少なくとも部分的に、建物１０２のエンベロープを画定する、エンベロープ壁と呼ばれ得る外壁を画定し得る。ユニットにおける少なくとも１つの壁は、配管コンポーネントを含み得、（例えば、１つまたは複数のユーティリティ壁パネル１１７によって画定されるとおり）ユーティリティ壁と呼ばれ得、窓コンポーネントを含む壁は、窓壁（例えば、窓壁１１５）と呼ばれ得る。端壁パネル（例えば、端壁パネル１１３）は、建物の外周の周りに位置付けられ得、建物の端壁を画定し得る。エンベロープ壁は、例として非限定的に１つまたは複数のユーティリティ壁、１つまたは複数の窓壁および１つまたは複数の端壁を含み得る。いくつかの例では、壁パネル１１６の１つまたは複数は、１つまたは複数の隣接する予め組み立てられた床−天井パネル１１４の外周の周りにのみ配置され得る。
【００２４】
いくつかの例では、壁パネルは、２つの柱間の全距離または実質的に全距離にわたり得る。例えば、端壁パネル１１３は、柱１０６ａおよび１０６ｂ間の全距離または実質的に全距離にわたり得る。別の例として、界壁パネル１１１は、柱１０６ｃおよび１０６ｄ間の全距離または実質的に全距離（例えば、壁パネルを構造フレームに取り付けるために使用される据付コンポーネントによって占められる距離を別にして全距離）にわたり得る。いくつかの例では、壁パネル（例えば、端壁パネル１１３、界壁パネル１１１）は、床−天井パネル１１４の長さに対応する長さを有し得る。いくつかの例では、壁パネルは、２つの柱間の一部の距離にわたり得る。例えば、ユーティリティ壁パネル１１７は、柱１０６ｂおよび１０６ｃ間の距離の一部のみにわたり得る。壁パネル１１６は、床−天井パネル１１４の幅に対応する長さを有し得る。図２に示された例では、ユニット１１２は、３つの床−天井パネル１１４を含み得る。ユーティリティ壁パネル１１７は、実質的に整列し得る（例えば、各床パネルの幅に対応する長さを有し得る）。壁パネル１１６についての他の長さおよび組合せが使用され得る。
【００２５】
図３および４は、それぞれ予め組み立てられた壁パネル２１６の等角図および部分分解等角図を示す。壁パネル２１６は、建物１０２の壁パネル１１６の１つまたは複数を実装するために使用され得る。図３は、壁パネル２１６、パネルフレーム２２０、外側スタッド２２２−ｌ、端部材２２４−ｌ、第１の壁ボード２３０、壁パネル２１６の第１の主側２３１および壁パネル２１６の第２の主側２４１を示す。図４は、壁パネル２１６、パネルフレーム２２０、外側スタッド２２２−１および２２２−２を含むスタッド２２２、端部材、２２４−１および２２４−２、壁空洞２２６、絶縁体２２８、第１の壁ボード２３０、第２の壁ボード２４０、壁パネル２１６の第１の主側２３１ならびに壁パネル２１６の第２の主側２４１を示す。図３および４に示される様々なコンポーネントは、例示的なものに過ぎず、コンポーネントを除去すること、コンポーネントを組み合せること、およびコンポーネントを置換することを含む他の変更形態は全て想定される。
【００２６】
壁パネル２１６は、パネルフレーム２２０と、それぞれパネルフレーム２２０の反対側に取り付けられた第１および第２の壁ボード２３０、２４０とを含み得る。パネルフレーム２２０は、複数のスタッド２２２を含み得る。スタッド２２２は、略垂直に延在し、したがって言い換え可能で垂直部材と呼ばれ得る。スタッド２２２は、対向端部材２２４−１および２２４−２に取り付けられ（例えば、溶接、ボルト締め、または接着され）得る。いくつかの例では、スタッド２２２の１つまたは複数は、端部材２２４−１、２２４−２の１つまたは複数と一体的であり得る（例えば、単一のコンポーネントとして機械加工、鋳造などされる）。
【００２７】
外側スタッド２２２−１および２２２−２ならびに対向端部材２２４−１および２２４−２は、パネルフレーム２２０の外周部分を画定し得る。外側スタッド２２２−１および２２２−２ならびに対向端部材２２４−１および２２４−２は、集合的に外周部材と呼ばれ得る。外側スタッドおよび対向端部材の外面は、パネル２１６の外周側を画定し得る。スタッド２２２は、互いに対して略平行（例えば、±１５度）であり得る。スタッド２２２は、離間され得、端部材２２４−１、２２４−２に対して略直交（例えば、±１５度）し得る。いくつかの例では、端部材２２４−１および２２４−２は、壁パネル２１６がユニットの全長にわたることができるように十分に長いことができる。いくつかの例では、端部材２２４−１、２２４−２は、約２４フィートの長さであり得る。端部材２２４−１、２２４−２は、他の例では２４フィートより短くても長くてもよく、例えば非限定的に１８フィート、２０フィート、２６フィート、２８フィートなどであり得る。概して、端部材２２４−１、２２４−２の長さは、特定の建築プロジェクトにとって適切であり得るように選択され得る。スタッド２２２は、壁空洞２２６を画定するように配置された空間において配置され得る。スタッド２２２は、規則的または不規則に離間され得る。いくつかの例では、絶縁体２２８、例えばミネラルウールが壁空洞２２６において提供され得る。
【００２８】
パネルフレーム２２０は、金属、例えばアルミニウムまたは鋼で形成され得る。いくつかの実施形態では、パネルフレーム２２０は、非金属材料、例えば木材、プラスチックまたは複合材料、例えば繊維強化複合材料で形成され得る。いくつかの実施形態では、スタッド２２２は、耐火性、構造強度、重量減少または他の要因のために、金属、例えばアルミニウムまたは鋼で形成され得る。いくつかの実施形態では、スタッド２２２は、非金属材料、例えば木材またはプラスチックで形成され得る。図示の例では、スタッド２２２および端部材２２４−１、２２４−２は、金属で形成され、フランジと、対向フランジを接続するウェブ部分とによって画定されたＣ字形断面を有する。他の例では、スタッド２２２は、異なる断面を有し得る。例えば、スタッドは、Ｉ型ビームまたはボックスビームを使用して実装され得る。１つまたは複数の開口が、例えばパネル２１６およびまたは複数の隣接する壁空洞内に延在する収容要素（例えば、導管、配線、絶縁体）の全重量を減らすために、例えば打ち抜きまたは他の既知の製造技術により、フランジまたはウェブ部分に形成され得る。
【００２９】
壁パネル２１６は、それぞれ壁パネル２１６の第１および第２の主側２３１および２４１を画定するために、パネルフレーム２２０の両側に取り付けられた第１および第２の壁ボード２３０および２４０を含み得る。いくつかの例では、主側の少なくとも一方は、ユニットの内壁を提供することができ、したがって内側と呼ばれ得る。主側の他方は、外壁を提供することができ、したがって外側と呼ばれ得る。いくつかの例では、第１および第２の主側の両方は、例えば、界壁の場合に内壁を提供し、壁パネルの第１および第２の内側と呼ばれ得る。壁ボード２３０は、不燃性材料の１つまたは複数のプレハブ式ボード２３３を含み得る。壁ボード２４０は、不燃性材料の１つまたは複数のプレハブ式ボード２４３を含み得る。いくつかの例では、プレハブ式ボード２３３、２４３は、セメントボード、酸化マグネシウム（ＭｇＯ）ボード、石こうボードなど、無機鉱物材料を含む様々なボードの任意のものを含み得、これらのいずれも、コアを強化するかまたはコアの外部（例えば、繊維ガラスまたは金属−クラッドボード）を強化する繊維を含み得る。建築産業で使用する様々なシート製品の任意のものがボード２３３、２４３を実装するために使用され得る。
【００３０】
壁パネル２１６は、１つまたは複数の据付コンポーネント（例えば、ブラケット２２３）を含み得る。据付コンポーネントは、パネルフレーム２２０の外周部分に沿って配置され得、壁パネル２１６を他の構造、例えば建物１０２の構造フレーム１０４に取り付けるように構成され得る。いくつかの例では、壁パネル２１６は、例として非限定的に界壁、端壁またはユーティリティ壁を建設するために使用され得る。この点で、壁パネル２１６は、非限定的に界壁パネル、端壁パネルまたはユーティリティ壁パネルとして構成され得る。いくつかの例では、界壁パネルとして構成される壁パネル２１６は、主側２３１、２４１の一方または両方に沿って１つまたは複数のスペーサコンポーネント（例えば、ブラケット２３２）を含み得る。スペーサコンポーネントは、壁ボード２３０および／または壁ボード２４０の外面の上に位置付けられ得る。スペーサコンポーネントは、ユニットと関連する内装要素を取り付けるために構成され得る。他の例では、壁パネル２１６は、端壁パネルとして構成され得、そのような例では、主側２３１、２４１の一方で内装要素を支持するように構成され得、主側２３１、２４１の他方で１つまたは複数の外部シートコンポーネント（例えば、耐候性遮蔽体２４２）を支持するようにさらに構成され得る。
【００３１】
例えば、図５〜１０を参照してさらに説明されるとおり、壁パネル２１６に１つまたは複数の防水組立体が設けられ得る。防水組立体は、壁パネル２１６の壁ボード２３０、２４０および／またはパネルフレーム２２０に取り付けられ得る。防水組立体がパネルの外周側に沿って延在し得る。いくつかの例では、防水組立体がパネルの長さに沿って（例えば、頂部または底部外周側に沿って）または高さに沿って（例えば、左または右外周側に沿って）延在し得る。いくつかの例では、防水組立体は、外周側の全体または実質的に全体に沿って延在し得る。いくつかの例では、壁パネルは、湿気の侵入に対して、壁パネルおよび／または隣接する壁パネル間の接合部を実質的にシールするために、複数の外周側に沿って複数の防水組立体を含み得る。いくつかの例では、防水組立体は、非熱伝導性材料（例えば、非金属材料）でできており、かつ／または断熱特性（例えば、断熱材、例えばミネラルウールまたはスプレーフォーム絶縁体）を有する１つまたは複数のコンポーネントを含み得、したがって断熱材としても機能し得る。いくつかの例では、防水組立体が長尺状部材を含み得、これは、非金属材料、例えば限定することなしにプラスチック材料、繊維強化プラスチックまたは他の複合材料でできていてもよい。本開示による防水組立体のコンポーネント、例えばプラスチックまたはＦＲＰで形成されたものは、押出または引抜成形技術を使用して様々な長さで容易に製造され得る。
【００３２】
建物１０２などの建物に設置されると、壁パネルの頂部および底部外周側は、略水平であり得、頂部および底部外周側に沿って延在する防水組立体は水平防水組立体と呼ばれ得る。左および右外周側は、略垂直であり得、したがって左および右外周側に沿って延在する防水組立体は垂直防水組立体と呼ばれ得る。
【００３３】
図５Ａおよび５Ｂは、本開示のいくつかの例による防水組立体５５０、５５０’の断面を示す。図５Ａは、防水組立体５５０、壁パネル５１６の一部、パネルフレーム５２０、スタッド５２２および５２２−１、壁空洞５２６、絶縁体５２８、それぞれ主側５３１および５４１にある壁ボード５３０および５４０を示す。図５Ｂは、防水組立体５５０’、壁パネル５１６の一部、パネルフレーム５２０、スタッド５２２および５２２−１、壁空洞５２６、絶縁体５２８、それぞれ主側５３１および５４１にある壁ボード５３０および５４０を示す。図５Ａおよび５Ｂに示される様々なコンポーネントは、例示的なものに過ぎず、コンポーネントを除去すること、コンポーネントを組み合せること、およびコンポーネントを置換することを含む他の変更形態は全て想定される。
【００３４】
壁パネル５１６は、例としてパネル１１１など、建物１０２などの建物における壁パネル１１６の１つまたは複数を実装するために使用され得る。図５Ａに示されたコンポーネントは、例えば、図２において詳細線５−５で示されたインターフェイスで、建物１０２の隣接する壁パネル間のインターフェイスを実装するために使用され得る。壁パネル５１６は、壁パネル２１６のコンポーネントの１つまたは複数を含み得、これは、同様の参照符号を使用して示され得、その説明は繰り返されなくてもよい。壁パネル５１６は、パネルフレーム５２０と、パネルフレーム５２０に取り付けられた壁ボード５３０および５４０とを含み得る。壁ボード５３０および５４０は、不燃性材料の１つまたは複数のプレハブ式ボードを使用して形成され得る。
【００３５】
パネルフレーム５２０は、複数の離間されたスタッド５２２を含み得る。スタッド５２２は、壁パネル５１６の長さに沿って規則的または不規則に離間され得る。スタッド５２２は、１つまたは複数の壁空洞５２６を画定するために第１および第２の対向端部材に接続され得る。絶縁体５２８が壁空洞５２６内に提供され得る。壁ボード５３０および５４０は、パネルフレーム５２０の両側に取り付けられ得、壁パネル５１６のそれぞれ第１および第２の主側５３１、５４１を画定し得る。外側スタッド（１つのみの外側スタッドがこの部分図で示されている）および端部材は、パネルフレーム５２０の外周部分を画定することができる。例えば、外側スタッド５２２−１は、パネルフレーム５２０の外周側５３５を画定し得る。外側スタッドおよび端部材は、したがって言い換え可能で外周部材と呼ばれ得る。建物１０２などの建物へと組み立てられると、外周側５３５は、垂直に延在し得る（例えば、建物の仰角方向に沿って）。外周側５３５は、したがって言い換え可能で垂直外周側５３５と呼ばれ得る。
【００３６】
防水組立体５５０が外周側５３５に沿って配置され得る。防水組立体５５０は、外周側５３５ならびに壁ボード５３０および５４０の外周縁を実質的に囲み得る。防水組立体５５０は、長尺状部材５５１を含み得る。長尺状部材５５１は、壁パネル５１６などの壁パネルの、いくつかの例では約２４フィートであり得る全長、またはいくつかの例では約９フィートであり得る全高に延在する連続的な部材であり得る。図示の例では、防水組立体５５０は、壁パネル５１６の垂直外周側に沿って配置され、長尺状部材５５１は、したがって壁パネル５１６の高さの全長または一部に延在し得る。長尺状部材５５１は、プラスチック、繊維強化プラスチック（ＦＲＰ）または複合材料（例えば、繊維強化樹脂）から形成され得る。長尺状部材５５１は、様々な製造技術、例えば引抜成形、押出、鋳込みまたは様々な自動化された複合製造技術、例えば自動化されたテープ敷設（ＡＴＬ）または自動化された繊維配置（ＡＦＰ）技術を使用して好適な長さに形成され得る。いくつかの例では、長尺状部材５５１は、付加製造（例えば、３Ｄ印刷）技術を使用して形成され得る。
【００３７】
長尺状部材５５１は、壁５５３であって、それらの間に空洞５６０を画定する壁５５３を含み得る。例えば、長尺状部材５５１は、外周部材５３５の反対側のかつそれから離間された第１の壁５５３−１を含み得る。長尺状部材５５１は、第１の壁５５３−１に隣接して第２および第３の壁５５３−２、５５３−３を含み得る。第２および第３の壁５５３−２、５５３−３は、第１の壁５５３−１に対して略直交（例えば、±１５度）に延在し得る。長尺状部材５５１は、フランジ５５２−１および５５２−２で終端し得る第４の部分壁５５３−４を含み得る。壁５３３の特定の配置構成は、所与の建築プロジェクトにおける特定の接合部にとって適切であり得るように変更され得る。フランジ５５２−１および５５２−２は、互いに略反対側にあり得、各々は壁ボードの外面に当接し得る。すなわち、フランジ５５２−１は、壁ボード５３０の外面に対して位置付けられ得、フランジ５５２−２は、壁ボード５４０の外面に対して位置付けられ得る。防水組立体５５０は、フランジ５５２−１および５５２−２を使用して、例えば、機械的締結具５５７であって、それぞれのフランジおよび壁ボードを通過し、かつそれぞれの壁ボード下のスタッドにおいて終端する機械的締結具５５７（例えば、ねじが切られた締結具またはリベット）を使用することにより、壁ボード５３０、５４０および／またはパネルフレーム５２０に取り付けられ得る。
【００３８】
防水組立体５５０は、空洞５６０内部に絶縁材料５６２（例えば、ミネラルウールまたはスプレー絶縁体）を含み得る。例えば、壁５５３の１つまたは複数は、剛性ミネラルウールで裏打ちされ得る。いくつかの例では、防水組立体５５０は、長尺状部材５５１の壁の少なくとも２つに沿って、ならびにいくつかの例では長尺状部材５５１の壁（例えば、壁５５３−１、５５３−２および５５３−３）の３つに沿って絶縁材料５６２を含み得る。いくつかの例では、防水組立体５５０は、長尺状部材５５１の壁５３３の全てに沿って絶縁材料５６２を含み得る。
【００３９】
壁パネル５１６は、界壁パネル（例えば、図２における界壁パネル１１１）として機能するように構成され得る。壁パネル５１６は、内装要素、例えば内装パネル５４５を支持するように構成され得る。いくつかの例では、内装パネル５４５は、例えば、スペーサコンポーネント（例えば、図２におけるパネル２１６のブラケット２３２）を使用して壁ボード５３０および５４０から離間され得る。いくつかの例では、長尺状部材５５１の壁５５３の１つまたは複数は、内装パネル５４５と実質的に整列するように構成され得る。例えば、対向する第２および第３の壁５５３−２および５５３−３は、それらの間において、内装パネル５４５間の距離に実質的に対応し得る距離を画定し得る。いくつかの例では、長尺状部材５５１の全幅は、壁ボード５３０および５４０の外面間の距離より大きいことができる。
【００４０】
スペーサコンポーネントは、壁ボード５３０、５４０に対して離間された関係で内装パネル５４５を提供し得、それにより壁ボード５３０、５４０と内装パネル５４５のそれぞれの１つとの間に空間５４７を画定する。空間５４７は、壁パネル５１６の追加的なコンポーネント、例えば非限定的に導管（例えば、電気、光学および他のタイプの導管）、ダクト（例えば、空気ダクト５４９）、パイプ（例えば、消火パイプ）、遮音および／または断熱材料を収容し得る。空気ダクト５４９は、内部機械システム、例えば浴室ファンまたは乾燥器通気口に接続され得、ユニットの内部の空気調節された空間から建物エンベロープの外部へ空気を通気するのに使用され得る。例えば、長尺状部材５５１は、部分壁の１つ５５３−４において吸気孔５５９を含み得、空気ダクト５４９は、吸気孔５５９を介して空洞５６０に流体接続され得る。例えば、穿孔またはルーバー式開口の形態の１つまたは複数の排気孔が、建物エンベロープの外部へ空気を通気するために他の壁（例えば、５５３−１、５５３−２および／または５５３−３）の１つまたは複数において形成され得る。
【００４１】
図５Ｂに示された例における壁パネル５１６および防水組立体５５０’は、防水組立体５５０’が、複数の空洞５６０−１、５６０−２であって、それぞれ空気ダクト５４９−１、５４９−２のそれぞれの１つと流体接続された、対応する吸気孔５５９−１、５５９−２を有する複数の空洞５６０−１、５６０−２を画定し得ることを除き、図５Ａの例における壁パネル５１６および防水組立体５５０と実質的に同様であり得る。防水組立体５５０’は、同様に少なくとも１つの長尺状部材５５１’（例えば、ＦＲＰ引抜成形）を含み得る。長尺状部材５５１’は、長尺状部材５５１’の内部を空洞５６０−１および５６０−２に分離する内壁５５３’を含み得る。２つの空洞５６０−１および５６０−２は、代替的に、長尺状部材５５１’の半部を画定する２つの個別の長尺状部材を使用して画定され得、壁パネルの両側に取り付けられ得る。２つの長尺状部材は互いに当接し得、各々は空気ダクト５４９−１、５４９−２のそれぞれの１つに接続され得る。
【００４２】
図６は、本開示のいくつかの例による、隣接するパネル６１６ａおよび６１６ｂ間のインターフェイスに提供された防水組立体６７０−１および６７０−２の断面を示す。図６は、壁パネル５１６、６１６ａおよび６１６ｂの一部、パネルフレーム５２０、６２０ａおよび６２０ｂ、壁パネル５１６の壁ボード５３０、５４０ならびに壁パネル６１６ａおよび６１６ｂの壁ボード６３０ａ、６４０ａおよび６３０ｂ、６４０ｂをそれぞれ示す。図６は、内装パネル５４５、６４５ａおよび６４５ｂ、スタッド５２２、６２２ａおよび６２２ｂ、外周側５３７、６３５ａおよび６３７ｂならびに防水組立体６７０ａおよび６７０ｂをさらに示す。図６は、壁パネル間の接合部を示す。図６に示された様々なコンポーネントは、例示的なものに過ぎず、コンポーネントを除去すること、コンポーネントを組み合せること、およびコンポーネントを置換することを含む他の変更形態は全て想定される。
【００４３】
壁パネル６１６ａおよび６１６ｂは、建物１０２における壁パネル１１６の１つまたは複数、例えば隣接するユーティリティ壁パネル１１７を実装するために使用され得る。図６に示されたコンポーネントは、例えば、図２における詳細線６−６で示されたインターフェイスで、建物１０２の隣接する壁パネル間のインターフェイスを実装するために使用され得る。壁パネル６１６ａおよび６１６ｂは、壁パネル２１６のコンポーネントの１つまたは複数を含み得、これは、同様の参照符号を使用して示され得、その説明は繰り返されなくてもよい。例えば、壁パネル６１６ａ、６１６ｂの各々は、パネルフレーム６２０ａ、６２０ｂを含み得る。壁ボード６３０ａおよび６４０ａは、壁パネル６１６ａのパネルフレーム６２０ａに取り付けられ得、壁ボード６３０ｂ、６４０ｂは、壁パネル６１６ｂのパネルフレーム６２０ｂに取り付けられ得る。壁ボードは、不燃性材料の１つまたは複数のプレハブ式ボードを使用して形成され得る。パネルフレーム６２０ａおよび６２０ｂは、それぞれスタッド６２２ａ、６２２ｂを含み得る。外側スタッドは、パネルフレームの外周側を画定し得る。例えば、外側スタッド６２２ａ−１は、パネルフレーム６２０ａの第１の外周側６３５を画定し得る。パネル６１６は、パネルフレーム６２０ａの反対の外周側に別の外側スタッド（この部分図では見えない）を含み得る。同様に、パネル６１６ｂは、第１および第２の外側スタッドであって、パネルフレーム６２０ｂの第１および第２の反対側の外周側を画定し得る第１および第２の外側スタッドを含み得る（１つのみの外側スタッド６２２ｂ−２および１つの外周側６３７ｂがこの部分図で見える）。
【００４４】
壁パネル６１６ａ、６１６ｂは、ユーティリティ壁パネルとして構成され得、建物１０２などの建物のユーティリティ壁を実装するために使用され得る。この点で、壁パネルは、１つまたは複数の配管コンポーネント６３４ａ、６３４ｂ（例えば、上水および下水管路）を含み得る。壁パネル６１６１、６１６ｂは、壁パネル６１６ａ、６１６ｂの主側の一方または両方で内装要素、例えば内装パネル６４５ａおよび６４５ｂを支持することができる。内装要素（例えば、内装パネル６４５ａおよび６４５ｂ）は、壁パネル６１６ａおよび６１６ｂのそれぞれの１つに、それぞれの壁ボード６４０ａおよび６４０ｂに対して離間された配置構成で取り付けられ得る。いくつかの例では、内装要素（例えば、内装パネル６４５ａおよび６４５ｂ）は、壁ボード６４０ａおよび６４０ｂから離間されなくてもよい。
【００４５】
建物へと組み立てられると、外周側６３５ａおよび６３７ｂは、（例えば、建物の仰角方向に沿って）垂直に配置され得る。防水組立体６７０−１、６７０−２は、隣接する壁パネル間の垂直インターフェイスに配置され得、例えば外周側６３５ａ、６３７ｂの全長に沿って壁パネルの実質的な全高に延在し得る。いくつかの例では、複数の防水組立体が、壁パネル間に垂直インターフェイスを画定するために壁パネルの高さに沿って隣接して配置され得る。
【００４６】
防水組立体６７０ａは、外周側６３５に沿って配置され得る。防水組立体６７０ａは、外周側６３５および壁ボード６３０ａおよび６４０ａの外周縁を実質的に囲み得る。防水組立体６７０ａは、壁パネル６１６ａの高さの一部または実質的に壁パネル６１６ａの全高に延在し得る１つまたは複数の長尺状部材を含み得る。長尺状部材の１つまたは複数は、外周側の全長、例えば壁パネルの全高に延在する連続的な部材であり得る。いくつかの例では、長尺状部材は、約８フィートの長さであり得る。いくつかの例では、長尺状部材は、８フィートより長いことができ、例えば１２フィート、１４フィート、１６フィート以上であり得る。いくつかの例では、例えば壁パネルが少なくとも部分的に建物の２つの階にわたる場合、長尺状部材は、２０フィートより長いことができる。長尺状部材の１つまたは複数は、プラスチック、繊維強化プラスチック（ＦＲＰ）または複合材料（例えば、繊維強化樹脂）から形成され得る。長尺状部材は、引抜成形、押出、成形、鋳込み、様々な自動化された複合製造技術、例えば自動化されたテープ敷設（ＡＴＬ）もしくは自動化された繊維配置（ＡＦＰ）技術または付加製造技術（例えば、３Ｄ印刷）など、様々な製造技術を使用して好適な長さに形成され得る。
【００４７】
防水組立体６７０ａは、第１の長尺状部材６７１ａと、第１の長尺状部材６７１ａの空洞６７８ａに少なくとも部分的に受け入れられた第２の長尺状部材６８１ａとを含み得る。第２の長尺状部材６８１ａは、第１の長尺状部材６７１ａに移動可能に連結され得る。いくつかの例では、第２の長尺状部材６８１ａは、横断方向に（例えば、壁パネル６１６ａの厚さに沿って）可動であり得、これは、製造中の公差の厳格さを低減させ得、かつ組立中の壁パネル６１６ａおよび６１６ｂの整列を円滑にし得る。第２の長尺状部材６８１ａは、空洞において最大で約１／２インチ可動であり得、いくつかの例では、横断方向に最大で約１インチ可動であり得る。いくつかの例では、第２の長尺状部材６８１ａは、１インチより多く横断方向に可動であり得る。第１の長尺状部材６７１ａは、フランジ６７２ａ−１および６７２ａ−２で終端する壁６５３ａ−ｌおよび６５３ａ−２を含み得る。防水組立体６７０ａは、フランジ６７２ａ−１および６７２ａ−２を使用してパネルフレーム６２０ａおよび／または壁ボード６３０ａ、６４０ａに取り付けられ得る。フランジ６７２ａ−１および６７２ａ−２は、壁ボード６３０ａ、６４０ａの外面に当接し得る。
【００４８】
防水組立体６７０ｂは、壁パネル６１６ｂの外周側６３７ｂに沿って配置され得る。防水組立体６７０ｂは、外周側６３７ｂおよび壁ボード６３０ｂおよび６４０ｂの外周縁を実質的に囲み得る。防水組立体６７０ｂは、実質的に防水組立体６７０ａの鏡像であり得、簡潔さのためにその説明は繰り返されない。防水組立体６７０ａおよび６７０ｂの各々は、シーリング部材６９０に係合するように構成され得る。
【００４９】
シーリング部材６９０は、防水組立体６７０ａおよび６７０ｂ間に提供され得、防水組立体６７０ａおよび６７０ｂの各々の対応する特徴と相互係止するための特徴を含み得る。いくつかの例では、現場に送達され得る個別のコンポーネントの数を減らすために、および／または嵌め合いコンポーネントを位置決めする時間を減らすために、シーリング部材６９０は、壁パネルが現場に送達される前に壁パネル６１５ａまたは６１５ｂの１つに取り付けられ得る。例えば、予め組み立てられた壁パネル６１５ａは、現場に到着したときに第２の長尺状部材６８１ａと係合するシーリング部材６９０を含み得る。それに接合されるパネル６１５ｂは、シーリング部材を含まなくてもよい。パネル６１５ｂは、シーリング部材６９０をパネル６１５ｂの防水組立体６７０ｂに係合（例えば、相互係止）させるように、パネル６１５ａに向かって移動され得る。２つのパネル６１５ａおよび６１５ｂは、次いで建物構造フレームに取り付けられ得る。他の例では、シーリング部材６９０は、代わりに、壁パネル６１５ｂに取り付けられ得、２つのパネル６１５ａ、６１５ｂを互いにおよび構造フレームに接合するために同様の組立順序が使用され得る。なおさらなる例では、第１の壁パネル６１５ａは、パネル６１５ｂがパネル６１５ａに接合される前に、第１に建物の構造フレームおよび／または他のコンポーネントへ接合され得る。いくつかの例では、シーリング部材６９０は、壁パネルから分離され得、建物への壁パネルの接合中に壁パネルに取り付けられ得る。
【００５０】
理解されるとおり、壁パネル６１６ａおよび６１６ｂのそれぞれの１つの防水組立体６７０ａおよび６７０ｂは、パネルの各々の１つまたは複数の防水組立体であり得る。いくつかの例では、図６に示されたものに対して壁パネル６１６ａおよび６１６ｂの各々の反対側に、図６に示された鏡像であり得る別の防水組立体が提供され得る。いくつかの例では、壁パネル６７０ａまたは６７０ｂのいずれか一方の反対側は、例えば、２つの隣接するパネルが互いに直交して配置される場所、例えば建物の縁に、例えば図８を参照して以下でさらに説明される修正された防水組立体を含み得る。
【００５１】
図７は、本開示のいくつかの例による隣接する防水組立体の部分図を示す。図７は、第１および第２の防水組立体７７０ａ、７７０ｂ、フランジ７７２ａ−１〜７７２ａ−４および７７２ｂ−１〜７７２ｂ−４、チャネル７７６ａおよび７７６ｂ、空洞７７８ａおよび７７８ｂ、インサート７８０ａおよび７８０ｂならびにインサート７８０ａおよび７８０ｂに係合されたシーリング部材７９０を示す。図７に示された様々なコンポーネントは、例示的なものに過ぎず、コンポーネントを除去すること、コンポーネントを組み合せること、およびコンポーネントを置換することを含む他の変更形態は全て想定される。
【００５２】
防水組立体７７０ａおよび７７０ｂは、それぞれ防水組立体６７０−１および６７０−２を実装するために使用され得る。防水組立体７７０ａは、壁パネルのパネルフレームおよび／または壁ボード、例えば図６における壁パネル６１６−１または建物１０２の別の壁パネル１１６に取り付けられ得る。防水組立体７７０ｂは、別の壁パネルのパネルフレームおよび／または壁ボード、例えば図６における壁パネル６１６−２または建物１０２の別の壁パネル１１６に取り付けられ得る。防水組立体７７０ａおよび７７０ｂは、水の侵入に対してインターフェイスを実質的にシールするために、隣接する壁パネル間のインターフェイスで提供され得る。例えば、防水組立体の各々は、シーリング部材７９０（例えば、ガスケット）に係合し得る。いくつかの例では、防水組立体７７０ａおよび７７０ｂは、隣接するパネル間の熱伝達、および／または、建物の空気調節された空間と、空気調節されていない空間との間の熱伝達を減少させるために断熱をさらに提供し得る。本明細書で説明されたとおり、壁パネルは、据付コンポーネントを使用して構造フレームに取り付けられ得る。したがって、防水組立体７７０ａおよび７７０ｂは、各々シーリング部材に係合することができるが、防水組立体７７０ａおよび７７０ｂが設けられた隣接する壁パネル間のインターフェイスは、実質的に非耐荷重性であり得る。
【００５３】
防水組立体７７０ａは、フランジ７７２ａ−１〜７７２ａ−４およびウェブ７７４ａによって画定された略Ｉ字形の断面を有する長尺状部材７７１ａを含み得る。長尺状部材７７１ａの上および下壁を画定するために、フランジ７７２ａ−１および７７２ａ−３は、ウェブ７７４ａの１つの側から反対の方向に延在し得、フランジ７７２ａ−２および７７２ａ−４は、ウェブ７７４ａの他の側から反対の方向に延在し得る。防水組立体７７０ａは、対向フランジ７７２ａ−１および７７２ａ−２を使用して壁パネルのパネルフレームおよび／または壁ボードに取り付けられるように構成され得る。例えば、フランジ７７２ａ−１および７７２ａ−２ならびにウェブ７７４ａは、壁パネルの外周側を受ける略Ｕ字形のチャネルを画定し得る。フランジは、壁パネルの壁ボードのそれぞれの外面に当接するように構成される。防水組立体は、従来の締結技術、例えばフランジ７７２ａ−１および７７２ａ−２のそれぞれの１つをそれぞれの壁ボードおよび／または下にあるパネルフレームに接合する機械的締結具を使用して取り付けられ得る。他の例では、防水組立体は、壁ボードおよび／またはパネルフレームの外周部分へ接合され得る。
【００５４】
フランジ７７２ａ−３および７７２ａ−４は、Ｕ字形チャネル７７６ａに対してウェブ７７４ａの反対側に空洞７７８ａを画定する。空洞７７８ａは、シーリング部材７９０（例えば、ガスケット）に係合するように作動可能に配置され得るインサート７８０ａを受けるように構成され得る。例えば、フランジ７７２ａ−３および７７２ａ−４は、インサート７８０ａの対応する保持特徴に係合するように構成された保持特徴を含み得る。例えば、フランジ７７２ａ−３および７７２ａ−４の各々は、インサート７８０ａの棚部分７８２ａに作動可能に係合するリム部分７７３ａを含み得る。リム部分７７３ａは、それぞれのフランジから空洞７７８ａに向かって内部へ延在する突出部として実装され得る。いくつかの例では、リム部分７７３ａは、インサート７８０ａの突出部７８３ａを受けるように構成された複数のリム壁７７５ａを含み得る。インサート７８０ａは、長尺状部材、例えば水を通さず、任意選択的に断熱性の材料で形成された長尺状部材を使用して実装され得る。いくつかの例では、インサート７８０ａは、ＦＲＰ引抜成形であり得る。
【００５５】
防水組立体７７０ｂは、同様に構成され得る。防水組立体７７０ｂは、防水組立体７７０ａの鏡像であり得る。この防水組立体はまた、第１の長尺状部材７７１ｂと、第１の長尺状部材７７１ｂによって画定された空洞に受け入れられたインサートとして機能する第２の長尺状部材７８１ｂとを含み得る。第１の長尺状部材７７１ｂは、フランジ７７２ｂ−１〜７７２ｂ−４およびウェブ７７４ｂによって画定された略Ｉ字形の断面を有し得る。フランジ７７２ｂ−１および７７２ｂ−３は、ウェブ７７４ｂの第１の側から反対の方向に延在することができ、フランジ７７２ｂ−２および７７２ｂ−４は、ウェブ７７４ｂの第２の反対側から反対の方向に延在することができ、防水組立体７７０ｂの上および下壁を画定する。防水組立体７７０ｂは、対向フランジ７７２ｂ−１および７７２ｂ−２を使用して壁パネルのパネルフレームおよび／または壁ボードに取り付けられるように構成され得る。フランジ７７２ｂ−１および７７２ｂ−２ならびにウェブ７７４ｂは、壁パネルの外周側を受ける略Ｕ字形のチャネルを画定することができる。フランジ７７２ｂ−１および７７２ｂ−２は、壁パネルの壁ボードのそれぞれの外面に当接するように構成され得る。防水組立体７７０ｂは、従来の締結技術、例えば機械的締結具または接着剤を使用してフランジに取り付けられ得る。
【００５６】
フランジ７７２ｂ−３および７７２ｂ−４は、Ｕ字形チャネル７７６ｂに対してウェブ７７４ｂの反対側に空洞７７８ｂを画定し得る。空洞７７８ｂは、ガスケット７９０を係合するように構成され得るインサート７８０ｂを受けるように構成され得る。いくつかの例では、フランジ７７２ｂ−３および７７２ｂ−４は、インサート７８０ｂの対応する保持特徴（例えば、棚部７８２ｂおよび／または突出部７８３ｂ）に係合するように構成された保持特徴（例えば、リム部分７７３ｂおよび／またはリム壁７７５ｂ）を含み得る。
【００５７】
インサート７８０ａおよび７８０ｂは、シーリング部材７９０の両側に係合するように構成され得る。いくつかの例では、シーリング部材７９０は、インサート７８０ａおよび７８０ｂの対応する相互係止特徴と嵌まり合うために、その主側７９１ａおよび７９１ｂの各々に相互係止特徴を含み得る。図示の例では、シーリング部材７９０は、畝状突出部７９２ａ、７９２ｂであって、それぞれのインサート７８０ａ、７８０ｂのそれぞれの畝状トレンチ７８４ａ、７８４ｂに受け入れられるようにそれぞれ構成された畝状突出部７９２ａ、７９２ｂを含む。他の例では、畝状突出部および対応する畝状トレンチの１つまたは複数の位置は、例えば、シーリング部材の畝状トレンチへの挿入のために、インサートに畝状突出部の１つまたは複数を提供することによって、逆にされ得る。他の例では、相互係止特徴は、複数の突出部およびトレンチを使用して実装され得る。なおさらなる例では、他の配置構成および組合せが使用され得る。
【００５８】
図８は、本開示のさらなる例による、隣接する壁パネル間のインターフェイスおよびその防水組立体の断面を示す。図８は、壁パネル８１６および６１６ｃ、パネルフレーム８２０および６２０ｃ、パネル８１６の壁ボード８３０および８４０ならびにパネル６１６ｃの壁ボード６３０ｃおよび６４０ｃ、外側スタッド６２２ｃ−２および６２２ｃ−３ならびに防水組立体８７０−１および６７０ｃを示す。図８に示された様々なコンポーネントは、例示的なものに過ぎず、コンポーネントを除去すること、コンポーネントを組み合せること、およびコンポーネントを置換することを含む他の変更形態は全て想定される。
【００５９】
壁パネル６１６ｃおよび８１６は、それぞれ建物１０２における壁パネル１１６の１つまたは複数、例えば隣接するユーティリティ壁パネル１１７および端壁パネル１１３を実装するために使用され得る。例えば、図８に示されたコンポーネントは、例えば、図２における詳細線８−８で示されたインターフェイスで、建物１０２の隣接する壁パネル間のインターフェイスを実装するために使用され得る。
【００６０】
壁パネル８１６は、壁パネル２１６のコンポーネントの１つまたは複数を含み得、これは、同様の参照符号を使用して示され得、その説明は繰り返されなくてもよい。例えば、壁パネル８１６は、パネルフレーム８２０と、パネルフレーム８２０の両側に取り付けられた壁ボード８３０および８４０とを含み得る。壁ボード８３０および８４０は、不燃性材料の１つまたは複数のプレハブ式ボードを使用して形成され得る。パネルフレーム８２０は、複数のスタッドを含み得、外側スタッドは、パネルフレーム８２０の外周側を画定し得る。例えば、パネルフレーム８２０は、パネルフレーム８２０の１つの側に外側スタッド８２２−２を含み得る。パネルフレーム８２０は、パネルフレーム８２０の反対側に別の外側スタッド（例えば、図９を参照して以下でさらに説明されるとおり）を含み得る。壁パネル８１６が建物に設置されると、外側スタッド８２２−２は、垂直方向（例えば、壁パネル８１６の高さ）に沿って延在し得、かつ外周側８３７を画定し得る。防水組立体８７０−１は、外周側８３７に沿って配置され得、かつ外周側８３７と壁ボード８３０、８４０のそれぞれの外周縁とを実質的に囲み得る。
【００６１】
壁パネル８１６は、端壁パネル（例えば、建物１０２の端壁パネル１１３）として構成され得る。いくつかの例では、壁ボード８３０によって画定されるとおり、壁パネル８１６の第１の主側８３１は、建物の内壁を提供し得る。いくつかの例では、壁ボード８４０によって画定されるとおり、壁パネル８１６の第２の主側８４１は、建物の外壁を提供し得る。そのような例では、側８３１および８４１は、それぞれ言い換え可能で内部および外側と呼ばれ得る。いくつかの例では、壁パネル８１６は、外側で外装コンポーネント（例えば、耐候性遮蔽体８４２、外部クラッド８４６）を支持するように構成され得る。外部クラッド８４６は、例えば、胴差し（例えば、Ｚ字形、Ｕ字形など）または下地用軽量溝形鋼を介して従来の技術を使用して壁パネル８１６に取り付けられ得る。壁パネル８１６は、内側で内装コンポーネント（例えば、内装パネル８４５）を支持するように構成され得る。内装パネル８４５は、スペーサコンポーネント（例えば、図２におけるブラケット２３２）を使用して壁ボード８３０から離間され得る。
【００６２】
壁パネル８１６は、外周側８３７に沿って防水組立体８７０−１を含み得る。防水組立体８７０−１は、前述の防水組立体（例えば、防水組立体６７０ａ、６７０ｂ、７７０ａおよび７７０ｂ）と同様であり得、同様の特徴は同様の参照符号を使用して示される。いくつかの例では、防水組立体８７０−１は、図７を参照して先に説明された防水組立体７７０ａまたは７７０ｂのいずれかを使用して実装され得る。例えば、防水組立体８７０−１は、第１の長尺状部材８７１と第２の長尺状部材８８１とを含み得、その１つまたは複数は、水を通さないおよび／または断熱性の材料でできていてもよい。第２の長尺状部材８８１は、シーリング部材８９０、例えばゴムガスケットに係合するように構成され得る。
【００６３】
防水組立体８７０−１は、壁パネル８１６に取り付けられた複数の防水組立体の１つであり得る。いくつかの例では、壁パネル８１６は、第２の防水組立体８５０を含み得、その例は、図９を参照してさらに説明される。さらなる例では、壁パネル８１６は、第３の防水組立体８９０−１を含み得、その例は、図１０を参照してさらに説明される。
【００６４】
図８を再び参照すると、壁パネル６１６ｃは、本明細書で説明された他の壁パネルのコンポーネントの１つまたは複数を含み得、同様のコンポーネントは同様の参照符号を使用して示され得る。例えば、壁パネル６１６ｃは、パネルフレーム６２０ｃと、パネルフレーム６２０ｃの両側に取り付けられた壁ボード６３０ｃおよび６４０ｃとを含み得る。壁ボード８３０および８４０は、不燃性材料の１つまたは複数のプレハブ式ボードを使用して形成され得る。パネルフレーム６２０ｃは、パネルフレーム６２０ｃの外周部分６３５ｃにスタッド６２２ｃ−２および６２２ｃ−３を含む複数のスタッドを含み得る。壁パネル６１６ｃは、外周部分６３５ｃが外周側８３７に重複している状態で、壁パネル８１６に対して略直交して配置され得る。防水組立体６７０ｃは、したがって壁パネル６１６ｃの長手方向に略直交であり得る。本明細書における他の例におけるとおり、防水組立体６７０ｃは、第１の長尺状部材６７１ｃと、第１の長尺状部材６７１ｃによって画定された空洞６７８ｃに受け入れられた第２の長尺状部材６８１ｃとを含み得る。防水組立体６７０ｃは、壁パネル６１６ｃのパネルフレーム６２０ｃおよび１つまたは複数の壁ボードに、第１の長尺状部材６７１ｃのフランジ６７２ｃ−１および６７２ｃ−２を介して取り付けられ得る。
【００６５】
理解されるとおり、防水組立体６７０ｃは、壁パネル６１６ｃの複数の防水組立体の１つであり得る。いくつかの例では、図８に示されたものに対して壁パネル６１６ｃの反対側には、別の防水組立体、例えば図６に関して先に説明された防水組立体６７０ａが提供され得る。防水組立体８７０−１および６７１ｃの各々は、シーリング部材８９０に係合するように構成され得る。シーリング部材６９０は、防水組立体８７０−１および６７１ｃとの間に配置され得、防水組立体８７０−１および６７１ｃの各々の対応する特徴と相互係止するための特徴を含み得る。例えば、シーリング部材８９０は、図７を参照して予め説明されたシーリング部材７９０を使用して実装され得る。
【００６６】
図９は、本開示のさらなる例による防水組立体の断面を示す。図９は、壁パネル８１６、パネルフレーム８２０、壁ボード８３０および８４０ならびに防水組立体８５０を示す。図９に示された様々なコンポーネントは、例示的なものに過ぎず、コンポーネントを除去すること、コンポーネントを組み合せること、およびコンポーネントを置換することを含む他の変更形態は全て想定される。
【００６７】
壁パネル８１６は、建物１０２における壁パネル１１６の１つまたは複数、例えば窓壁１１５に隣接する端壁パネル１１３を実装するために使用され得る。例えば、図９に示されたコンポーネントは、例えば、図２における詳細線９−９で示されたインターフェイスで、建物１０２の隣接する壁パネル間のインターフェイスを実装するために使用され得る。図９は、図８に関して図示および上述された側の反対側にある壁パネル８１６の側を示す。壁パネル８１６が建物に設置されると、外側スタッド８２２−１は、垂直方向（例えば、壁パネル８１６の高さ）に沿って延在し得、かつ外周側８３５を画定し得る。防水組立体８５０は、外周側８３５に沿って配置され、かつ外周側８３５と、壁ボード８３０、８４０のそれぞれの外周縁を実質的に囲み得る。
【００６８】
防水組立体８５０は、外周側８３５に沿って配置され得る。防水組立体８５０は、外周側８３５と、壁ボード８３０および８４０の外周縁を実質的に囲み得る。防水組立体８５０は、壁パネル８１６の垂直全長に延在する連続的な部材であり得る長尺状部材８５１を含み得る。長尺状部材８５１は、様々な技術、例えば押出、引抜成形、鋳込み、成形および自動化された繊維配置を使用して、プラスチック、繊維強化プラスチック（ＦＲＰ）または複合材料（例えば、繊維強化樹脂）から形成され得る。
【００６９】
長尺状部材８５１は、空洞８６０をその間に画定する壁８５３を含み得る。例えば、長尺状部材５５１は、パネルフレーム８２０の外周側８３５に対向しかつそれから離間された第１の壁８５３−１を含み得る。長尺状部材８５１は、第１の壁８５３−１に隣接する第２および第３の壁８５３−２、８５３−３を含み得る。第２および第３の壁８５３−２、８５３−３は、第１の壁８５３−１に対して略直交（例えば、±１５度）に延在し得る。長尺状部材８５１は、第２の壁８５３−２に対して略直交に延在し得る第４の部分壁８５３−４を含み得る。壁８５３−３および８５３−４は、フランジ８５２−１および８５２−２で終端し得る。壁８３３の特定の配置構成は、所与の建築プロジェクトにおける特定の接合部にとって適切であり得るように変更され得る。フランジ８５２−１および８５２−２は、壁パネル８１６の両側に対して提供され得、したがって厳密に整列していない場合でも互いに略反対にあると言われ得る。フランジ８５２−１および８５２−２は、それぞれ壁ボードの外面に当接することができる。すなわち、フランジ８５２−１は、壁ボード８３０の外面に対して位置付けられ得、フランジ８５２−２は、壁ボード８４０の外面に対して位置付けられ得る。防水組立体８５０は、例えば、それぞれのフランジおよび壁ボードを通過し、かつそれぞれの壁ボードの下のスタッドにおいて終端する機械的締結具８５７（例えば、ねじが切られた締結具またはリベット）を使用してフランジ８５２−１および８５２−２を使用して壁ボード８３０、８４０および／またはパネルフレーム８２０に取り付けられ得る。
【００７０】
防水組立体８５０は、空洞８６０内部に絶縁材料８６２（例えば、ミネラルウールまたはスプレー絶縁体）を含み得る。いくつかの例では、防水組立体８５０は、長尺状部材８５１の壁８５３の２つ以上に沿って、いくつかの例では壁の３つ全てに沿って、およびいくつかの例では４つの壁全てに沿って絶縁材料５６２を含み得る。いくつかの例では、絶縁体は、壁の１つ、例えば建物の内部、およびしたがって空調空間に位置し得る第４の壁８５３−４に沿って提供されなくてもよい。いくつかの例では、長尺状部材８５１の全幅は、壁ボード８３０および８４０の外面間の距離より大きいことができる。
【００７１】
図１０は、床−天井パネルおよび隣接するエンベロープ壁の部分断面図を示す。図１０は、下壁パネル８１６ａ、上壁パネル８１６ｂ、床−天井パネル１１４、ビーム１０８ならびに防水組立体８９０−１および８９０−２を示す。図１０に示された様々なコンポーネントは、例示的なものに過ぎず、コンポーネントを除去すること、コンポーネントを組み合せること、およびコンポーネントを置換することを含む他の変更形態は全て想定される。
【００７２】
床−天井パネル１１４は、下階（例えば、建物１０２の階１０３ａ）のための天井および上階（例えば、建物１０２の階１０３ｂ）のための床を提供し得る。床−天井パネル１１４は、構造フレーム、例えばビーム１０８へ接合され得る。壁パネル８１６ａは、この図ではその上部分のみが示されているが、下階と関連し得、かつ下壁パネルと呼ばれ得る。壁パネル８１６ｂは、この図ではその下部分のみが示されているが、上階と関連し得、かつ上壁パネルと呼ばれ得る。壁パネル８１６ａおよび８１６ｂは、建物の構造部材の上に位置付けられ得、かつ構造フレームおよび／または床−天井パネルへ接合され得る。例えば、上壁パネル８１６ｂは、ビーム１１０８の上に位置付けられ得、かつ据付コンポーネント（例えば、角度ブラケット８２１ｂ）を使用して床−天井パネル１１４へ接合され得る。下壁パネル８１６ａは、同様に配置され得る。すなわち、この部分図には示されていないが、下壁パネル８１６ａの下部分は下階と関連するビームの上に位置付けられ得、壁パネル８１６ａは、下ビームと上ビーム（例えば、図１０におけるビーム１０８）との間に延在し得る。壁パネル８１６ａ、８１６ｂは、本明細書で説明された壁パネルの特徴の１つまたは複数を含み得、同様の特徴は同様の参照符号を使用して示され得る。例えば、壁パネル８１６ａは、パネルフレーム８２０ａと、パネルフレーム８２０ａに取り付けられた壁ボード８３０ａ、８４０ａとを含み得る。壁パネル８１６ｂは、パネルフレーム８２０ｂと、パネルフレーム８２０ｂに取り付けられた壁ボード８３０ｂ、８４０ｂとを含み得る。
【００７３】
壁パネル８１６ａには、壁パネル８１６ａのパネルフレーム８２０ａおよび／または壁ボード８３０ａ、８４０ｂに取り付けられた防水組立体８９０−１が提供され得る。防水組立体８９１−１は、パネルフレーム８２０ａの全外周側８３６ａに沿って延在し得る。防水組立体８９１−１は、長尺状部材８９２とシーリング部材８９４（例えば、ガスケット）とを含み得る。長尺状部材８９２は、壁パネル８１６ａの水平長さ全体にわたり得る。長尺状部材８９２は、水を通さない材料でできていてもよい。長尺状部材８９２は、壁パネルとビームとの間のインターフェイスを通じた湿気の侵入を減少させるかまたは実質的に防止するように構成され得る。
【００７４】
長尺状部材８９２は、ウェブ８９７に接続されたフランジ８９３および８９５によって画定された略Ｚ字形の断面を有し得る。フランジ８９３および８９５は、ウェブ８９７の両端部から反対の方向に略直交に延在し得る。壁パネル８１６ａおよびビーム１０８の設置後、フランジ８９５は、壁ボード８４０ａの外面に対して垂直下向きに配置され得、フランジ８９３は、ビーム１０８の反対側表面に対して垂直上向きに配置され得る。フランジ８９５は下向きフランジと呼ばれ得、フランジ８９３は上向きフランジと呼ばれ得る。いくつかの例では、長尺状部材８９２は、同様に断熱、例えばプラスチックまたはＦＲＰなどの非金属材料である材料でできていてもよく、それにより熱シーリング機能を追加的に提供し得る。シーリング部材８９４は、弾性材料で形成され得、長尺状部材８９２の上面に接着され得る。シーリング部材８９４は、長尺状部材８９２の全長に沿って延在し得る。長尺状部材８９２のＺ形状およびシーリング部材８９４は、壁パネル８１６ａとビーム１０８との間のインターフェイスを通じた湿気の浸入を効果的に減少させ得るかまたは防止し得る。
【００７５】
防水組立体８９０−２が壁パネル８１６ｂとビーム１８０との間のインターフェイスに提供され得る。防水組立体８９０−２は、長尺状部材８９２とシーリング部材８９４（例えば、ガスケット）とを含み得る。長尺状部材は、壁パネル８１６ｂの水平長さ全体にわたり得る。長尺状部材８９２は、水を通さない材料でできていてもよい。長尺状部材の上向きフランジ８９３は、壁パネルとビームとの間のインターフェイスを通じた湿気の浸入を防止し得る。ビーム１０８および壁パネル８１６ｂの設置後、上向きフランジ８９３が壁ボード８３０ｂの表面に対して提供され得る。
【００７６】
いくつかの例では、長尺状部材８９２は、同様に断熱の材料、例えばプラスチックまたはＦＲＰなどの非金属材料でできていてもよく、それにより熱シーリング機能を追加的に提供し得る。シーリング部材８９４は、弾性材料で形成され得、長尺状部材８９２の上面に接着され得る。シーリング部材８９４は、長尺状部材８９２の全長に沿って延在し得る。
【００７７】
いくつかの例では、防水組立体８９０−２は、ビーム上に配置され得、上壁パネル８１６ｂは、防水組立体８９０−２の上に配置され得る。壁パネル８１６ｂが床−天井パネルに接合されるとき、シーリング部材８９４は、圧縮されて壁パネル８１６ｂとビーム１０８との間に実質的に防水のインターフェイスを形成し得る。いくつかの例では、防水組立体８９０−２のコンポーネントの位置および配置構成は逆にされ得る。すなわち、壁パネル８１６ｂがビーム１０８の上に置かれる場合に、シーリング部材８９４がビーム１０８の表面に対して提供され、かつビーム１０８の表面によって圧縮されるように、長尺状部材８９２は、壁パネル８１６ｂの外周側に取り付けられ得、シーリング部材８９４は、長尺状部材８９２の下面に取り付けられ得る。本明細書における例による防水組立体は、従来の金属製雨押さえを使用する必要性を実質的に不要にし得、かつ有利には熱いおよび冷たい金属コンポーネントを断熱するようにさらに機能し得る。
【００７８】
図１１は、本開示による例示的方法のフロー図である。方法１１００は、建物１０２などの建物のための壁システムを建設するために使用され得る。例示的方法は、ブロック１１０５〜１１２５の１つまたは複数によって示されるとおり、１つまたは複数の操作、機能または動作を含み得る。図１１に示される様々なブロックは、例示的なものに過ぎず、ブロックを除去すること、組み合わせること、および置換することを含む他の変更形態は全て想定される。
【００７９】
例示的方法１１００は、ブロック１１０５に示されるとおり、第１の予め組み立てられた壁パネルを建物の構造フレームに取り付けることを含み得る。壁パネルは、構造フレームに、例えばパネルをフレームに据え付けるコンポーネントで直接取り付けられ得るか、または例えば他のコンポーネントへ（例えば、床−天井パネルへ）の壁パネルの取付を通じて構造フレームに間接的に取り付けられ得る。構造フレームは、第１のビームと、第１のビームに対向しかつそれから離間された第２のビームとを含み得る。第１の予め組み立てられた壁パネルは、少なくとも部分的に第１のビームの上に配置され得る。方法１１００は、ブロック１１１０に示されるとおり、第２の予め組み立てられた壁パネルを構造フレームに取り付けることを含み得る。第２の予め組み立てられた壁パネルは、第１の予め組み立てられた壁パネルに対向しかつそれから離間されて取り付けられ得る。第２の予め組み立てられた壁パネルは、少なくとも部分的に第２のビームの上に配置され得る。いくつかの例では、第１および第２の予め組み立てられた壁パネルの各々は、第１または第２の予め組み立てられた壁パネルのそれぞれ１つの外周側に沿って少なくとも１つの非金属防水組立体を含み得る。
【００８０】
いくつかの例では、第１および第２の予め組み立てられた壁パネルの各々は、建物のユニットの全長に延在し得る。いくつかの例では、第１の予め組み立てられた壁パネルは、第１の垂直側に沿って延在する第１の防水組立体と、第１の垂直側の反対側の第２の垂直側に沿って延在する第２の防水組立体と、第１および第２の垂直側間において水平側に沿って延在する第３の防水組立体とを含み得る。いくつかの例では、第１および第２の予め組み立てられた壁パネルの各々は、それぞれの垂直外周側に沿って延在する防水組立体を含み得る。いくつかの例では、方法１１００は、第１および第２の予め組み立てられた壁パネル間に窓壁を形成することを含み得る。方法１１００は、第１および第２の予め組み立てられた壁パネルと窓壁のそれぞれの側との間にシールを提供すること、例えば第１および第２の予め組み立てられた壁パネルの各々の防水組立体と窓壁のそれぞれの側との間に非構造的シールを提供することをさらに含み得る。
【００８１】
いくつかの例では、第１の予め組み立てられた壁パネルは、建物の外壁を画定することができ、第２の予め組み立てられた壁パネルは建物の内壁を画定することができる。そのような例では、方法は、追加的な予め組み立てられた壁パネルを、第１の予め組み立てられた壁パネルに対向し第２の予め組み立てられた壁パネルから離間された構造フレームに接合することをさらに含み得る。追加的な予め組み立てられた壁パネルは、建物の別の外壁を画定し得る。
【００８２】
ブロック１１０５、１１１０、１１１５および１１２０におけるステップの１つまたは複数ならびに追加的なステップは、建物の１つの階、例えば建物の下階を形成することに関係し得る。下階が完成するかまたは部分的に完成した後、方法は、建物の上階を形成することをさらに含み得る。いくつかの例では、方法１１００は、ブロック１１２５に示されるとおり、建物の上階を形成するために追加的な構造部材を構造フレームに接合することを含み得る。方法１１００は、ブロック１１３０に示されるとおり、建物の下階の少なくとも一部および建物の上階の少なくとも一部にわたる追加的な予め組み立てられた壁パネルを構造フレームおよび第１の予め組み立てられた壁パネルに取り付けることをさらに含み得る。いくつかの例では、下および上階の少なくとも一部にわたる追加的な予め組み立てられた壁パネルを取り付けることは、追加的な予め組み立てられた壁パネルを第１の予め組み立てられた壁パネルに直交するように位置付けることと、ガスケットの相互係止特徴を、第１のおよび追加的な予め組み立てられた壁パネルのそれぞれの防水組立体のそれぞれの相互係止特徴に係合させるために、追加的な予め組み立てられた壁パネルを第１の予め組み立てられた壁パネルに向かって押すこととを含み得る。
【００８３】
さらなる例では、下および上階の少なくとも一部にわたる追加的な予め組み立てられた壁パネルは、第１のユーティリティ壁パネルであり得る。そのような例では、方法は、第２のユーティリティ壁パネルを第１のユーティリティ壁パネルに接合することをさらに含み得、第１および第２のユーティリティ壁パネルの各々は、第１および第２のユーティリティ壁パネルのそれぞれの第１の垂直外周側に沿った第１の防水組立体と第２の反対側の垂直外周側に沿った第２の防水組立体とを含み、第１および第２の防水組立体の各々は、第１および第２のユーティリティ壁パネル間に位置付けられたガスケットと相互係止するように構成されたインサートを含む。いくつかの例では、第１のユーティリティ壁パネルは、ユーティリティ壁パネルを第１の予め組み立てられた壁パネルに接合する前に第２のユーティリティ壁パネルに接合され得る。
【００８４】
図１２および１３は、本開示のいくつかの例による例示的絶縁部材の等角図および断面図を示す。図１２は、絶縁部材１２００、本体１２１０、フランジ１２１２、穴１２１４、壁１２１６、リム部分１２１８、空洞１２２２および断熱材料１２２０を示す。図１３は、柱１０６、ビーム１０８、カラー１０５、絶縁部材１２００、本体１２１０、フランジ１２１２、壁１２１６、リム部分１２１８、断熱材料１２２０および締結具１２２８を示す。図１２および１３に示される様々なコンポーネントは、例示的なものに過ぎず、コンポーネントを除去すること、コンポーネントを組み合せること、およびコンポーネントを置換することを含む他の変更形態は全て想定される。
【００８５】
絶縁部材１２００は、建物１０２などの建物の構造部材に取り付けられ得、隣接する金属コンポーネント間の熱エネルギーの伝達を減少させるために断熱材として機能し得る。絶縁部材１２００は、構造上部材、例えばビーム１０８の一端の上で協働適合する（a cooperating fit over an end of a structural member）ための形状であり得る。絶縁部材１２００は、事実上いずれの非熱伝導性材料、例えばプラスチック、ＦＲＰまたは別のタイプの複合材料で形成されてもよい。いくつかの例では、絶縁部材１２００は、鋳造または成形されたＦＲＰコンポーネントとして形成され得る。絶縁部材１２００は、壁１２１６によって画定された略箱形の本体１２１０を含み得る。フランジ１２１２は、本体１２１０の一端から壁１２１６へ略直交に延在し得る。フランジ１２１２は、絶縁部材１２００を構造フレームに取り付けるための締結具穴１２１４を含み得る。本体１２１０は、ビーム１０８の端部を受けるような大きさにされた空洞１２２２を画定する中空であり得る。断熱材料１２２０が空洞１２２２内部に提供され得る。例えば、壁１２１６の内側は、ミネラルウールで裏打ちされ得る。フランジ１２１２の反対側にある本体１２１０の端部は、幅が絶縁材料の厚さに対応し得るリム部分１２１８を含み得る。いくつかの例では、リム部分１２１８は、絶縁材料より幅広いことができ、ビーム１０８の前面の上に部分的に延在し得る。建物に取り付けられると、絶縁部材１２００は、ビーム１０８と柱１０６との間のビーム１０８の端部の上に位置付けられ得る。絶縁部材１２００は、構造、例えばフランジ１２１２を通過する締結具１２２８を介してビーム１０８に結合されたカラー１０５に取り付けられ得る。絶縁部材１２００は、建物１０２などの建物の１つまたは複数の構造上部材間に取り付けられ得、隣接する金属コンポーネント間の熱エネルギーの伝達を減少させるために断熱材として機能し得る。
【００８６】
提供される例は、説明を目的としているに過ぎず、本開示の範囲を限定すると見なされるべきではない。予め組み立てられたコンポーネントの実施形態、例えば壁パネル１１６は、とりわけ低層、中層および高層居住用プロジェクトで使用可能な壁システムを提供し得る。壁パネルは、以下の建築基準法の１つまたは複数に適合するように構成され得る：火災、エネルギー、障害、生命の安全および音響（衝撃および環境騒音の伝達）。いくつかの実施形態では、予め組み立てられた壁パネルは、火災、音衝撃、エネルギーおよび生命／安全基準法を満たす完全に一体化されたサブ組立体として見なされ得る。床および天井パネルは、いくつかの実施形態では、電気、防火、エネルギー絶縁および遮音能力と完全に一体化され得る。床および天井パネルは、適用される建築法、例えば２時間耐火等級（two-hour fire rating）によって設定された耐火等級を達成するように設計され得る。いくつかの実施形態では、パネルは、図１におけるユニット１１２など、建物ユニットのための加熱システムを提供し得る。
【００８７】
本明細書で説明された壁パネルは、工場または店において現場から離れて作られ得、かつ構造フレーム、例えば建物の構造外骨格への取付のためにプロジェクト現場（現場とも呼ばれ得る）へ輸送され得る。パネルは様々なサイズで作成され得る。例えば、本開示によるパネルは、約２０フィート以上（例えば、２２フィート、２４フィート、２６フィート）の長さおよび約８フィート〜約９フィートの高さを有し得る。いくつかの例では、パネルは、高さがより低いかまたはより高いことができる（例えば、７フィート、７  １／２フィート、９フィート、９  １／２フィートなど）。これらの長さおよび高さの寸法は、例えば、隣接するパネルを接合し、かつ／またはパネルを構造フレームに接合するのに使用され得るような、概して、パネルの外周を越えて延在するコンポーネントを含まないものとし得る。すなわち、いくつかの例では、パネルは、２４×９フィートパネルと呼ばれ得るが、パネルの全長は２４を超えることができ、パネルの高さは９フィートを超え得る。概して、上の例より大きいパネルおよび小さい嵌め込みパネルを含む任意のサイズのパネルが、建物床システムを完成させるために、プロジェクトごとの必要性に応じて作られ得る。建築現場では、パネルは、端壁、界壁、ユーティリティ壁、建物ユーティリティまたは任意のその組合せに取り付けられ得る。
【００８８】
本開示は、様々な態様の例示として意図された、本願で説明された特定の実施形態に関して限定されない。当業者に明らかになるとおり、多くの修正形態および実施形態が、その趣旨および範囲から逸脱することなくなされ得る。本明細書で列挙されたものに加えて、本開示の範囲内にある機能的に均等な方法および装置が、前述の説明から当業者に明らかになる。そのような修正形態および実施形態は、添付の請求項の範囲内にあることを意図される。本開示は、添付の請求項の用語を、そのような請求項の対象となる均等物の全範囲と併せて含む。本開示は、特定の方法、試薬、化合物、組成物または生物システムに限定されず、これらは当然のことながら様々であり得ることを理解されたい。本明細書で使用する用語法は、特定の実施形態のみを説明することを目的としており、限定することを意図されたものではないことも理解されたい。
【００８９】
本明細書における実質的にいずれの複数のおよび／または単数の用語の使用についても、当業者は、文脈および／または出願に適切であるように、複数から単数へおよび／または単数から複数へ解釈し得る。様々な単数／複数の順列は、明確さのために本明細書で明確に定められ得る。
【００９０】
概して、本明細書および添付の請求項（例えば、添付の請求項のボディ）で特に使用する用語は、概して、「非限定的な」用語として意図されていることが当業者によって理解される（例えば、「含む」という用語は、「含むが、限定するものではない」として解釈されるべきであり、「有する」という用語は、「少なくとも有する」として解釈されるべきであり、「包含する」という用語は「含むが、限定するものではない」として解釈されるべきである）。
【００９１】
特定の数の導入された請求項の記載が意図されている場合、そのような意図は、請求項で明確に記載され、記載がない場合にはそのような意図は存在しないことが当業者によってさらに理解される。例えば、理解を支援するものとして、以下の添付の請求項は、請求項の記載を導入するために、前置きのフレーズ「少なくとも１つ」および「１つまたは複数」の使用を含み得る。しかしながら、そのようなフレーズの使用は、不定冠詞「１つの（a）」または「１つの（an）」による請求項の記載の導入が、そのような導入された請求項の記載を包含する任意の特定の請求項を、１つのみのそのような記載を包含する実施形態に限定することを暗示すると解釈されるべきではなく、これは、同じ請求項が前置きのフレーズ「１つまたは複数」または「少なくとも１つ」および不定冠詞、例えば「１つの（a）」または「１つの（an）」（例えば、「１つの（a）」および／または「１つの（an）」は、「少なくとも１つ」または「１つまたは複数」を意味すると解釈されるべきである）を含む場合でもそうであり、同じことが、請求項の記載を導入するために使用される定冠詞の使用についても該当する。加えて、特定の数の導入された請求項の記載が明確に記載される場合でも、当業者は、そのような記載が少なくとも記載された数を意味するべきであると認めるであろう（例えば、他の修飾語句のない「２つの記載」という無修飾の記載は、少なくとも２つの記載または２つ以上の記載を意味する）。
【００９２】
さらに、「Ａ、ＢおよびＣなどの少なくとも１つ」に類似する表現が使用される場合、概して、このような構造は、当業者がその表現を理解するであろう意味で意図される（例えば、「Ａ、ＢおよびＣの少なくとも１つを有するシステム」は、Ａのみ、Ｂのみ、Ｃのみ、ＡおよびＢを一緒に、ＡおよびＣを一緒に、ＢおよびＣを一緒に、および／またはＡ、ＢおよびＣを一緒になどを有するシステムを含むがこれらに限られない）。「Ａ、ＢまたはＣなどの少なくとも１つ」に類似する表現が使用される場合、概して、このような構造は、当業者がその表現を理解するであろう意味で意図される（例えば、「Ａ、ＢまたはＣの少なくとも１つを有するシステム」は、Ａのみ、Ｂのみ、Ｃのみ、ＡおよびＢを一緒に、ＡおよびＣを一緒に、ＢおよびＣを一緒に、および／またはＡ、ＢおよびＣを一緒になどを有するシステムを含むがこれらに限られない）。説明、請求項または図面にあるかに関わらず、２つ以上の代替的用語を表す事実上いずれの離接語および／またはフレーズも、用語の１つ、用語のいずれかまたは両方の用語を含む可能性を想定すると理解されるべきであることが当業者によってさらに理解される。例えば、フレーズ「ＡまたはＢ」は、「Ａ」、または「Ｂ」、または「ＡおよびＢ」の可能性を含むと理解される。
【００９３】
加えて、本開示の特徴または態様がマーカッシュグループに関して説明される場合、当業者は、本開示が、それによりマーカッシュグループの任意の独立した部材または部材のサブグループに関しても説明されることを認める。
【００９４】
当業者によって理解されるとおり、全ての目的のために、例えば書面による説明を提供する点から、本明細書で開示された全ての範囲は、任意のおよび全ての可能な部分的範囲およびその部分的範囲の組合せも包含する。いずれの挙げられた範囲も、同じ範囲を少なくとも２等分、３等分、４等分、５等分、１０等分などすることを十分に説明しかつ可能にするとして容易に認められ得る。非限定的な例として、本明細書で検討された各範囲は、下部３分の１、中部３分の１および上部３分の１などに容易に分割され得る。同様に当業者によって理解されるとおり、例えば「最大で」、「少なくとも」、「より大きい」、「より小さい」などの全ての文言は、記載された数を含み、かつ上で検討されたとおりの部分的範囲に後に分割され得る範囲を指す。最後に、当業者によって理解されるとおり、範囲は、各独立した要素を含む。したがって、例えば１〜３つの物品を有するグループは、１、２または３つの物品を有するグループを指す。同様に、１〜５つの物品を有するグループは、１、２、３、４または５つの物品を有するグループを指すなどである。
【００９５】
前述の詳細な説明は、ブロック図、フローチャートおよび／または実施形態の使用によってデバイスおよび／またはプロセスの様々な実施形態を定めたが、そのようなブロック図、フローチャートおよび／または実施形態は、１つまたは複数の機能および／または操作を含み、そのようなブロック図、フローチャートまたは実施形態内の各機能および／または運転は、幅広いハードウェア、ソフトウェア、ファームウエアまたは事実上任意のその組合せにより、別個におよび／または集合的に実装され得ることが当業者によって理解される。
【００９６】
本明細書で説明された主題は、他のコンポーネントに含まれるかまたは他のコンポーネントに関連する異なるコンポーネントを示すこともある。そのような図示された構造が単なる例に過ぎず、実際には、同じ機能性を達成する多くの他の任意の構造が実装され得ることを理解されたい。概念的意味において、同じ機能性を達成するコンポーネントの任意の配置構成は、望ましい機能性が達成されるように効果的に「関連付けられる」。したがって、特定の機能性を達成するために組み合わされた本明細書における任意の２つのコンポーネントは、構造または中間コンポーネントに関係なく望ましい機能性が達成されるように、互いに「関連付けられている」として見なされ得る。同様に、そのように関連付けられた任意の２つのコンポーネントも、望ましい機能性を達成するために互いに「作動可能に接続されている」または「作動可能に結合されている」として見ることができ、そのように関連付けられ得る任意の２つのコンポーネントは、望ましい機能性を達成するために互いに「作動的に結合可能」であるものとしても見られ得る。作動可能に結合可能な特定の実施形態は、物理的に嵌合可能および／もしくは物理的に相互作用するコンポーネント、ならびに／または無線で相互作用可能なコンポーネントおよび／もしくは無線で相互作用するコンポーネント、ならびに／または論理的に相互作用するおよび／もしくは論理的に相互作用可能なコンポーネントを含むがこれらに限られない。
【００９７】
様々な態様および実施形態が本明細書で開示されたが、他の態様および実施形態も当業者に明らかとなる。本明細書で開示された様々な態様および実施形態は例証を目的としており、限定することを意図されたものではなく、真の範囲および趣旨は以下の請求項によって示される。
【図１】
2019511652.tif 000003
【図２】
2019511652.tif 000004
【図３】
2019511652.tif 000005
【図４】
2019511652.tif 000006
【図５Ａ】
2019511652.tif 000007
【図５Ｂ】
2019511652.tif 000008
【図６】
2019511652.tif 000009
【図７】
2019511652.tif 000010
【図８】
2019511652.tif 000011
【図９】
2019511652.tif 000012
【図１０】
2019511652.tif 000013
【図１１】
2019511652.tif 000014
【図１２】
2019511652.tif 000015
【図１３】
2019511652.tif 000016
【国際調査報告】
2019511652.tif 000017